(57)【要約】  ビークルツーエブリシング（Ｖ２Ｘ）通信のユーザ装置（ＵＥ）、基地局（ＢＳ）および方法を提供される。ＵＥのＶ２Ｘ通信の方法は、ＵＥのグループ内の少なくとももう１つのＵＥと、ユニキャストセッションまたはグループキャストセッションに参加することと、ＢＳからの少なくとも１つのセルラーダウンリンク（ＤＬ）信号およびチャネルを受信することと、少なくとも１つの第１の受信信号強度および／または電力を測定することによって、少なくとも１つのＤＬ無線状態を監視することと、少なくとも１つのＤＬ無線状態の少なくとも１つの測定結果をＢＳに報告することと、ＢＳから補助移転設定の詳細を受信することとを含む。補助移転設定の詳細は、ＢＳが少なくとも１つのＤＬ無線状態の少なくとも１つの測定結果に基づいて、進行中のユニキャストセッションまたは進行中のグループキャストセッションにローカルヘッダを割り当てることを含む。
2022500941.tif 000002
【特許請求の範囲】
【請求項１】
ビークルツーエブリシング（Ｖ２Ｘ）通信システムにおけるユーザ装置（ＵＥ）であって、前記ＵＥは、
メモリと、
トランシーバと、
前記メモリおよび前記トランシーバに結合されるプロセッサとを備え、
前記プロセッサは、
ＵＥのグループ内の少なくとももう１つのＵＥとユニキャストセッションまたはグループキャストセッションに参加し、前記ＵＥは前記ＵＥのグループのメンバーであり、
基地局（ＢＳ）から少なくとも１つのセルラーダウンリンク（ＤＬ）信号およびチャネルを受信するように前記トランシーバを制御し、
前記少なくとも１つのセルラーＤＬ信号およびチャネルに基づき、少なくとも１つの第１の受信信号強度および／または電力を測定することによって、少なくとも１つのＤＬ無線状態を監視し、
前記少なくとも１つのＤＬ無線状態の少なくとも１つの測定結果を前記ＢＳに報告するように前記トランシーバを制御し、
前記ＢＳから補助移転設定の詳細を受信するように前記トランシーバを制御するように構成され、前記補助移転設定の詳細は、前記ＢＳが前記少なくとも１つのＤＬ無線状態の前記少なくとも１つの測定結果に基づき、進行中のユニキャストセッションまたは進行中のグループキャストセッションにローカルヘッダを割り当てることを含む。
【請求項２】
請求項１に記載のＵＥであって、前記トランシーバは、前記ローカルヘッダからサイドリンク（ＳＬ）リソースセットアップ設定の詳細を受信するように構成される。
【請求項３】
請求項２に記載のＵＥであって、前記サイドリンク（ＳＬ）リソースセットアップ設定の詳細は、前記補助移転設定の詳細から、割り当てられたリソースプールおよび／またはキャリアを介してＳＬインターフェースを介して伝送される。
【請求項４】
請求項２または３に記載のＵＥであって、前記トランシーバは、前記ローカルヘッダからの要求に基づき、ＵＥ補助情報（ＵＥＡＩ）および／またはバッファーステータスレポート（ＢＳＲ）の形式でＶ２Ｘトラフィック情報を提供するように構成される。
【請求項５】
請求項４に記載のＵＥであって、前記トランシーバは、前記ローカルヘッダが前記ＳＬリソースセットアップ設定の詳細を定期的にブロードキャストすることによって、ＳＬリソースの使用および予約状況を受信するように構成される。
【請求項６】
請求項１から５のいずれか一項に記載のＵＥであって、前記トランシーバは、少なくとも１つの近くの路側ユニット（ＲＳＵ）および／または前記ＵＥのグループの１つのグループメンバーＵＥから少なくとも１つのＳＬ信号およびチャネルを受信するように構成される。
【請求項７】
請求項６に記載のＵＥであって、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項８】
請求項６または７に記載のＵＥであって、前記プロセッサは、前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、少なくとも１つのＳＬ無線状態を監視するように構成される。
【請求項９】
請求項８に記載のＵＥであって、前記トランシーバは、前記少なくとも１つのＤＬ無線状態の少なくとも１つの測定結果を前記ＢＳに報告するように構成される。
【請求項１０】
請求項６から９のいずれか一項に記載のＵＥであって、前記ローカルヘッダは、前記少なくとも１つの近くのＲＳＵのうちの１つである。
【請求項１１】
請求項１から９のいずれか一項に記載のＵＥであって、前記ローカルヘッダは、前記ＵＥのグループのグループメンバーＵＥである。
【請求項１２】
請求項１から１１のいずれか一項に記載のＵＥであって、前記セルラーダウンリンク（ＤＬ）信号およびチャネルは、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含む。
【請求項１３】
請求項１２に記載のＵＥであって、前記ＰＳＳ、ＳＳＳ、およびＰＢＣＨの組み合わせは、同期信号ブロック（ＳＳＢ）を構成する。
【請求項１４】
請求項１から１３のいずれか一項に記載のＵＥであって、前記補助移転設定の詳細は、前記ローカルヘッダのタイプおよび前記ローカルヘッダの識別子（ＩＤ）を含む。
【請求項１５】
請求項１４に記載のＵＥであって、前記ローカルヘッダのタイプは、前記ＢＳと同じの同じＢＳ  ＲＳＵ、前記ＢＳとは異なる異なりＢＳ  ＲＳＵ、ＵＥタイプＲＳＵ、および前記ＵＥのグループのグループメンバーＵＥを含む。
【請求項１６】
請求項１から１５のいずれか一項に記載のＵＥであって、前記補助移転設定の詳細は、前記ローカルヘッダが前記進行中のユニキャストセッションまたは前記進行中のグループキャストセッションのＳＬリソースを制御および管理する機能を引き継ぐ開始タイミング、少なくとも１つのＳＬキャリア、前記少なくとも１つのＳＬキャリア内の少なくとも１つのＳＬリソースプール、および／または前記進行中のユニキャストセッションまたは前記進行中のグループキャストセッションを識別するための情報を含む。
【請求項１７】
請求項１６に記載のＵＥであって、前記開始タイミングは、システムフレーム番号（ＳＦＮ）トへの時間オフセット、開始ＳＦＮ、または暗黙的または固定オフセッとして表される。
【請求項１８】
請求項１６または１７に記載のＵＥであって、前記進行中のユニキャストセッションまたは前記進行中のグループキャストセッションを識別するための情報は、グループＩＤ、セッションＩＤ、グループメンバーＵＥの数、伝送のタイプ、および／またはすべてのグループメンバーＵＥのＩＤを含む。
【請求項１９】
請求項２から１８のいずれか一項に記載のＵＥであって、前記ＳＬリソースセットアップ設定の詳細は、少なくとも１つのＳＬリソースプールおよび／または少なくとも１つのＳＬキャリア内の少なくとも１つのリソース領域、グループメンバーＵＥへのＳＬＳＳおよび／またはＰＳＢＣＨを伝送するための同期リソース設定の詳細、および／または最新のＶ２Ｘトラフィック情報を提供するための各グループメンバーＵＥのＳＬリソースを含む。
【請求項２０】
請求項１から１９のいずれか一項に記載のＵＥであって、前記ＵＥのグループ内のすべてのグループメンバーＵＥが無線リソース制御（ＲＲＣ）接続モード１  ＵＥであり、前記ユニキャストセッションがＳＬユニキャストセッションであり、前記グループキャストセッションがＳＬグループキャストセッションであり、前記少なくとも１つのＤＬ無線状態がセルラーＵｕインターフェースの少なくとも１つの無線状態である。
【請求項２１】
請求項１から２０のいずれか一項に記載のＵＥであって、前記プロセッサは、ダウンリンクにおける少なくとも１つのＳＳＢおよび／またはＣＳＩ−ＲＳに基づき、少なくとも１つの基準信号受信電力（ＳＳ−ＲＳＲＰ）レベルを測定するように構成される。
【請求項２２】
請求項２１に記載のＵＥであって、前記少なくとも１つのＳＳ−ＲＳＲＰレベルが前記モード１動作に対して事前定義または設定されたしきい値を超えている場合、前記プロセッサは、前記少なくとも１つのＤＬ無線状態を監視し続け、前記少なくとも１つのＳＳ−ＲＳＲＰレベルおよび／または報告されたＳＳ−ＲＳＲＰレベルの５０％がモード１動作の事前定義または設定されたしきい値を下回っている場合、前記ＢＳは、前記プロセッサをトリガーしまたは前記プロセッサがセルフトリガーし、少なくとも１つの近くのＲＳＵおよび／または前記ＵＥのグループのグループメンバーＵＥから測定された少なくとも１つのＳＬ  ＲＳＲＰまたは受信信号強度インジケータ（ＲＳＳＩ）レベルを報告する。
【請求項２３】
請求項２２に記載のＵＥであって、前記ＢＳが前記プロセッサをトリガーしまたは前記プロセッサがセルフトリガーし、前記少なくとも１つの近くのＲＳＵおよび／または前記ＵＥのグループの前記グループメンバーＵＥから測定された前記少なくとも１つのＳＬ  ＲＳＲＰまたは受信信号強度インジケータ（ＲＳＳＩ）レベルを報告する場合、前記プロセッサは、ＲＳＵによって伝送されたＳＬＳＳおよび／またはＰＳＢＣＨを検出することによって、近接している任意の近くのＲＳＵを決定する。
【請求項２４】
請求項２３に記載のＵＥであって、少なくとも１つのＲＳＵが近くで検出された場合、前記プロセッサは、検出されたすべてのＲＳＵから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告し、および／または前記プロセッサは、１つ以上の潜在的な候補が存在する場合、前記ＢＳに１つのＲＳＵを候補ローカルヘッダとして指定する。
【請求項２５】
請求項２４に記載のＵＥであって、前記トランシーバは、前記ＢＳから選択されたローカルヘッダへのＳＬリソース制御および管理移転の設定の詳細を受信するように構成される。
【請求項２６】
請求項２３に記載のＵＥであって、前記近くのＲＳＵが検出されない場合、前記プロセッサは、他のグループメンバーＵＥから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告する。
【請求項２７】
請求項２６に記載のＵＥであって、前記トランシーバは、前記ＢＳから選択されたローカルヘッダへのＳＬリソース制御および管理移転の設定の詳細を受信するように構成される。
【請求項２８】
請求項２５または２７に記載のＵＥであって、前記選択されたローカルヘッダが前記ＲＳＵまたは前記グループメンバーＵＥであるかどうかに関係なく、前記選択されたローカルヘッダの割り当て後、前記ローカルヘッダは、残りのグループメンバーＵＥにＳＬリソースセットアップ詳細の詳細を提供する。
【請求項２９】
請求項２８に記載のＵＥであって、前記残りのグループメンバーＵＥのそれぞれは、前記ユニキャストセッションまたは前記グループキャストセッションの継続のために、前記選択されたローカルヘッダにＶ２Ｘトラフィック情報を送信する。
【請求項３０】
ユーザ装置（ＵＥ）のビークルツーエブリシング（Ｖ２Ｘ）通信の方法であって、前記方法は、
グループのメンバーであるＵＥのグループ内の少なくとももう１つのＵＥとユニキャストセッションまたはグループキャストセッションに参加することと、
基地局（ＢＳ）から少なくとも１つのセルラーダウンリンク（ＤＬ）信号およびチャネルを受信することと、
前記少なくとも１つのセルラーＤＬ信号およびチャネルに基づき、少なくとも１つの第１の受信信号強度および／または電力を測定することによって、少なくとも１つのＤＬ無線状態を監視することと、
前記少なくとも１つのＤＬ無線状態の少なくとも１つの測定結果を前記ＢＳに報告することと、
前記ＢＳから補助移転設定の詳細を受信することとを含み、前記補助移転設定の詳細は、前記ＢＳが前記少なくとも１つのＤＬ無線状態の前記少なくとも１つの測定結果に基づき、進行中のユニキャストセッションまたは進行中のグループキャストセッションにローカルヘッダを割り当てることを含む。
【請求項３１】
請求項３０に記載の方法であって、前記ローカルヘッダからサイドリンク（ＳＬ）リソースセットアップ設定の詳細を受信することをさらに含む。
【請求項３２】
請求項３１に記載の方法であって、前記サイドリンク（ＳＬ）リソースセットアップ設定の詳細は、前記補助移転設定の詳細から、割り当てられたリソースプールおよび／またはキャリアを介してＳＬインターフェースを介して伝送される。
【請求項３３】
請求項３１または３２に記載の方法であって、前記ローカルヘッダからの要求に基づき、ＵＥ補助情報（ＵＥＡＩ）および／またはバッファーステータスレポート（ＢＳＲ）の形式でＶ２Ｘトラフィック情報を提供することをさらに含む。
【請求項３４】
請求項３３に記載の方法であって、前記ローカルヘッダが前記ＳＬリソースセットアップ設定の詳細を定期的にブロードキャストすることによって、ＳＬリソースの使用および予約状況を受信することをさらに含む。
【請求項３５】
請求項３０から３４のいずれか一項に記載の方法であって、少なくとも１つの近くの路側ユニット（ＲＳＵ）および／または前記ＵＥのグループの１つのグループメンバーＵＥから少なくとも１つのＳＬ信号およびチャネルを受信することをさらに含む。
【請求項３６】
請求項３５に記載の方法であって、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項３７】
請求項３５または３６に記載の方法であって、前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、少なくとも１つのＳＬ無線状態を監視することをさらに含む。
【請求項３８】
請求項３７に記載の方法であって、前記少なくとも１つのＤＬ無線状態の少なくとも１つの測定結果を前記ＢＳに報告することをさらに含む。
【請求項３９】
請求項３５から３８のいずれか一項に記載の方法であって、前記ローカルヘッダは、前記少なくとも１つの近くのＲＳＵのうちの１つである。
【請求項４０】
請求項３０から３８のいずれか一項に記載の方法であって、前記ローカルヘッダは、前記ＵＥのグループのグループメンバーＵＥである。
【請求項４１】
請求項３０から４０のいずれか一項に記載の方法であって、前記セルラーダウンリンク（ＤＬ）信号およびチャネルは、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含む。
【請求項４２】
請求項４１に記載の方法であって、前記ＰＳＳ、ＳＳＳ、およびＰＢＣＨの組み合わせは、同期信号ブロック（ＳＳＢ）を構成する。
【請求項４３】
請求項３０から４２のいずれか一項に記載の方法であって、前記補助移転設定の詳細は、前記ローカルヘッダのタイプおよび前記ローカルヘッダの識別子（ＩＤ）を含む。
【請求項４４】
請求項４３に記載の方法であって、前記ローカルヘッダのタイプは、前記ＢＳと同じの同じＢＳ  ＲＳＵ、前記ＢＳとは異なる異なりＢＳ  ＲＳＵ、ＵＥタイプＲＳＵ、および前記ＵＥのグループのグループメンバーＵＥを含む。
【請求項４５】
請求項３０から４４のいずれか一項に記載の方法であって、前記補助移転設定の詳細は、前記ローカルヘッダが前記進行中のユニキャストセッションまたは前記進行中のグループキャストセッションのＳＬリソースを制御および管理する機能を引き継ぐ開始タイミング、少なくとも１つのＳＬキャリア、前記少なくとも１つのＳＬキャリア内の少なくとも１つのＳＬリソースプール、および／または前記進行中のユニキャストセッションまたは前記進行中のグループキャストセッションを識別するための情報を含む。
【請求項４６】
請求項４５に記載の方法であって、前記開始タイミングは、システムフレーム番号（ＳＦＮ）トへの時間オフセット、開始ＳＦＮ、または暗黙的または固定オフセッとして表される。
【請求項４７】
請求項４５または４６に記載の方法であって、前記進行中のユニキャストセッションまたは前記進行中のグループキャストセッションを識別するための情報は、グループＩＤ、セッションＩＤ、グループメンバーＵＥの数、伝送のタイプ、および／またはすべてのグループメンバーＵＥのＩＤを含む。
【請求項４８】
請求項３１から４７のいずれか一項に記載の方法であって、前記ＳＬリソースセットアップ設定の詳細は、少なくとも１つのＳＬリソースプールおよび／または少なくとも１つのＳＬキャリア内の少なくとも１つのリソース領域、グループメンバーＵＥへのＳＬＳＳおよび／またはＰＳＢＣＨを伝送するための同期リソース設定の詳細、および／または最新のＶ２Ｘトラフィック情報を提供するための各グループメンバーＵＥのＳＬリソースを含む。
【請求項４９】
請求項30から４８のいずれか一項に記載の方法であって、前記ＵＥのグループ内のすべてのグループメンバーＵＥが無線リソース制御（ＲＲＣ）接続モード１  ＵＥであり、前記ユニキャストセッションがＳＬユニキャストセッションであり、前記グループキャストセッションがＳＬグループキャストセッションであり、前記少なくとも１つのＤＬ無線状態がセルラーＵｕインターフェースの少なくとも１つの無線状態である。
【請求項５０】
請求項３０から４９のいずれか一項に記載の方法であって、ダウンリンクにおける少なくとも１つのＳＳＢおよび／またはＣＳＩ−ＲＳに基づき、少なくとも１つの基準信号受信電力（ＳＳ−ＲＳＲＰ）レベルを測定することをさらに含む。
【請求項５１】
請求項５０に記載の方法であって、前記少なくとも１つのＳＳ−ＲＳＲＰレベルが前記モード１動作に対して事前定義または設定されたしきい値を超えている場合、前記方法は、前記少なくとも１つのＤＬ無線状態を監視し続け、前記少なくとも１つのＳＳ−ＲＳＲＰレベルおよび／または報告されたＳＳ−ＲＳＲＰレベルの５０％がモード１動作の事前定義または設定されたしきい値を下回っている場合、前記ＢＳは、前記ＵＥをトリガーしまたは前記ＵＥがセルフトリガーし、少なくとも１つの近くのＲＳＵおよび／または前記ＵＥのグループのグループメンバーＵＥから測定された少なくとも１つのＳＬ  ＲＳＲＰまたは受信信号強度インジケータ（ＲＳＳＩ）レベルを報告することを含む。
【請求項５２】
請求項５１に記載の方法であって、前記ＢＳが前記ＵＥをトリガーしまたは前記ＵＥがセルフトリガーし、前記少なくとも１つの近くのＲＳＵおよび／または前記ＵＥのグループの前記グループメンバーＵＥから測定された前記少なくとも１つのＳＬ  ＲＳＲＰまたは受信信号強度インジケータ（ＲＳＳＩ）レベルを報告する場合、前記方法は、ＲＳＵによって伝送されたＳＬＳＳおよび／またはＰＳＢＣＨを検出することによって、近接している任意の近くのＲＳＵを決定することを含む。
【請求項５３】
請求項５２に記載の方法であって、少なくとも１つのＲＳＵが近くで検出された場合、前記方法は、検出されたすべてのＲＳＵから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告することを含み、および／または前記方法は、１つ以上の潜在的な候補が存在する場合、前記ＢＳに１つのＲＳＵを候補ローカルヘッダとして指定することを含む。
【請求項５４】
請求項５３に記載の方法であって、前記ＢＳから選択されたローカルヘッダへのＳＬリソース制御および管理移転の設定の詳細を受信することをさらに含む。
【請求項５５】
請求項５２に記載の方法であって、前記近くのＲＳＵが検出されない場合、前記方法は、他のグループメンバーＵＥから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告することを含む。
【請求項５６】
請求項５５に記載の方法であって、前記ＢＳから選択されたローカルヘッダへのＳＬリソース制御および管理移転の設定の詳細を受信することをさらに含む。
【請求項５７】
請求項５４または５６に記載の方法であって、前記選択されたローカルヘッダが前記ＲＳＵまたは前記グループメンバーＵＥであるかどうかに関係なく、前記選択されたローカルヘッダの割り当て後、前記ローカルヘッダは、残りのグループメンバーＵＥにＳＬリソースセットアップ詳細の詳細を提供する。
【請求項５８】
請求項５７に記載の方法であって、前記残りのグループメンバーＵＥのそれぞれは、前記ユニキャストセッションまたは前記グループキャストセッションの継続のために、前記選択されたローカルヘッダにＶ２Ｘトラフィック情報を送信する。
【請求項５９】
ビークルツーエブリシング（Ｖ２Ｘ）通信システムにおける基地局（ＢＳ）であって、前記ＢＳは、
メモリと、
トランシーバと、
前記メモリおよび前記トランシーバに結合されるプロセッサとを備え、
前記プロセッサは、
ユーザ装置（ＵＥ）に少なくとも１つのセルラーダウンリンク（ＤＬ）信号およびチャネルを伝送するように前記トランシーバを制御し、前記ＵＥがＵＥのグループ内の少なくとももう１つのＵＥとユニキャストセッションまたはグループキャストセッションに参加し、前記ＵＥが前記ＵＥのグループのメンバーであり、
前記ＵＥが前記少なくとも１つのセルラーＤＬ信号およびチャネルに基づき、少なくとも１つの第１の受信信号強度および／または電力を測定することによって、前記ＵＥから少なくとも１つのＤＬ無線状態の少なくとも１つの測定結果を受信するように前記トランシーバを制御し、
前記少なくとも１つのＤＬ無線状態の少なくとも１つの測定結果に基づき、進行中のユニキャストセッションまたは進行中のグループキャストセッションにローカルヘッダを割り当て、
前記ＵＥに補助移転設定の詳細を通知するように前記トランシーバを制御するように構成され、前記補助移転設定の詳細は、前記プロセッサが前記進行中のユニキャストセッションまたは進行中のグループキャストセッションに前記ローカルヘッダを割り当てることを含む。
【請求項６０】
請求項５９に記載のＢＳであって、前記プロセッサは、前記少なくとも１つのＤＬ無線状態が、前記進行中のユニキャストまたはグループキャストセッションのＤＬスケジューリングベースのモード１動作をサポートし続けるのに十分であるかどうかを判断し、前記ＵＥからの前記少なくとも１つの測定結果を事前決定されたＤＬ無線品質しきい値と比較するように構成される。
【請求項６１】
請求項６０に記載のＢＳであって、前記少なくとも１つのＤＬ無線状態が悪化しているおよび／または不十分であると判断された場合、前記プロセッサは、前記ＵＥから報告された前記少なくとも１つのＳＬ無線状態に基づき、前記進行中のユニキャストセッションまたは前記進行中のグループキャストセッションにローカルヘッダを選択するように構成される。
【請求項６２】
請求項６０に記載のＢＳであって、前記少なくとも１つのＤＬ無線状態が悪化している、および／または不十分である場合、前記ＵＥは、前記ローカルヘッダを選択して前記プロセッサに指定する。
【請求項６３】
請求項６２に記載のＢＳであって、前記ＵＥは、前記ローカルヘッダをランダムに選択する、または、前記少なくとも１つのＳＬ測定結果に基づき、または車両変態リードであるノードに基づき、前記ローカルヘッダを選択する。
【請求項６４】
請求項５９から６３のいずれか一項に記載のＢＳであって、前記トランシーバは、前記ＵＥが前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、前記ＵＥから少なくとも１つのＳＬ無線状態の少なくとも１つの測定結果を受信するように構成される。
【請求項６５】
請求項６４に記載のＢＳであって、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項６６】
請求項６４または６５のいずれか一項に記載のＢＳであって、前記ローカルヘッダは、前記少なくとも１つの近くのＲＳＵのうちの１つである。
【請求項６７】
請求項５９から６５のいずれか一項に記載のＢＳであって、前記ローカルヘッダは、前記ＵＥのグループのグループメンバーＵＥである。
【請求項６８】
請求項５９から６７のいずれか一項に記載のＢＳであって、前記セルラーダウンリンク（ＤＬ）信号およびチャネルは、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含む。
【請求項６９】
請求項６８に記載のＢＳであって、前記ＰＳＳ、ＳＳＳ、およびＰＢＣＨの組み合わせは、同期信号ブロック（ＳＳＢ）を構成する。
【請求項７０】
請求項５９から６９のいずれか一項に記載のＢＳであって、前記補助移転設定の詳細は、前記ローカルヘッダのタイプおよび前記ローカルヘッダの識別子（ＩＤ）を含む。
【請求項７１】
請求項７０に記載のＢＳであって、前記ローカルヘッダのタイプは、前記ＢＳと同じの同じＢＳ  ＲＳＵ、前記ＢＳとは異なる異なりＢＳ  ＲＳＵ、ＵＥタイプＲＳＵ、および前記ＵＥのグループのグループメンバーＵＥを含む。
【請求項７２】
請求項５９から７１のいずれか一項に記載のＢＳであって、前記補助移転設定の詳細は、前記ローカルヘッダが前記進行中のユニキャストセッションまたは前記進行中のグループキャストセッションのＳＬリソースを制御および管理する機能を引き継ぐ開始タイミング、少なくとも１つのＳＬキャリア、前記少なくとも１つのＳＬキャリア内の少なくとも１つのＳＬリソースプール、および／または前記進行中のユニキャストセッションまたは前記進行中のグループキャストセッションを識別するための情報を含む。
【請求項７３】
請求項７２に記載のＢＳであって、前記開始タイミングは、システムフレーム番号（ＳＦＮ）トへの時間オフセット、開始ＳＦＮ、または暗黙的または固定オフセッとして表される。
【請求項７４】
請求項７２または７３に記載のＢＳであって、前記進行中のユニキャストセッションまたは前記進行中のグループキャストセッションを識別するための情報は、グループＩＤ、セッションＩＤ、グループメンバーＵＥの数、伝送のタイプ、および／またはすべてのグループメンバーＵＥのＩＤを含む。
【請求項７５】
請求項59から７４のいずれか一項に記載のＢＳであって、前記ＵＥのグループ内のすべてのグループメンバーＵＥが無線リソース制御（ＲＲＣ）接続モード１  ＵＥであり、前記ユニキャストセッションがＳＬユニキャストセッションであり、前記グループキャストセッションがＳＬグループキャストセッションであり、前記少なくとも１つのＤＬ無線状態がセルラーＵｕインターフェースの少なくとも１つの無線状態である。
【請求項７６】
請求項５９から７５のいずれか一項に記載のＢＳであって、前記ＵＥは、ダウンリンクにおける少なくとも１つのＳＳＢおよび／またはＣＳＩ−ＲＳに基づき、少なくとも１つの基準信号受信電力（ＳＳ−ＲＳＲＰ）レベルを測定するように構成される。
【請求項７７】
請求項７６に記載のＢＳであって、前記少なくとも１つのＳＳ−ＲＳＲＰレベルが前記モード１動作に対して事前定義または設定されたしきい値を超えている場合、前記ＵＥは、前記少なくとも１つのＤＬ無線状態を監視し続け、前記少なくとも１つのＳＳ−ＲＳＲＰレベルおよび／または報告されたＳＳ−ＲＳＲＰレベルの５０％がモード１動作の事前定義または設定されたしきい値を下回っている場合、前記ＢＳは、前記ＵＥをトリガーしまたは前記ＵＥがセルフトリガーし、少なくとも１つの近くのＲＳＵおよび／または前記ＵＥのグループのグループメンバーＵＥから測定された少なくとも１つのＳＬ  ＲＳＲＰまたは受信信号強度インジケータ（ＲＳＳＩ）レベルを報告する。
【請求項７８】
請求項７７に記載のＢＳであって、前記ＢＳが前記ＵＥをトリガーしまたは前記ＵＥがセルフトリガーし、前記少なくとも１つの近くのＲＳＵおよび／または前記ＵＥのグループの前記グループメンバーＵＥから測定された前記少なくとも１つのＳＬ  ＲＳＲＰまたは受信信号強度インジケータ（ＲＳＳＩ）レベルを報告する場合、前記ＵＥは、ＲＳＵによって伝送されたＳＬＳＳおよび／またはＰＳＢＣＨを検出することによって、近接している任意の近くのＲＳＵを決定する。
【請求項７９】
請求項７８に記載のＢＳであって、少なくとも１つのＲＳＵが近くで検出された場合、前記ＵＥは、検出されたすべてのＲＳＵから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告し、および／または前記ＵＥは、１つ以上の潜在的な候補が存在する場合、前記ＢＳに１つのＲＳＵを候補ローカルヘッダとして指定する。
【請求項８０】
請求項７９に記載のＢＳであって、前記トランシーバは、選択されたローカルヘッダへのＳＬリソース制御および管理移転の設定の詳細を前記ＵＥに伝送するように構成される。
【請求項８１】
請求項７８に記載のＢＳであって、前記近くのＲＳＵが検出されない場合、前記ＵＥは、他のグループメンバーＵＥから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告する。
【請求項８２】
請求項８１に記載のＢＳであって、前記トランシーバは、選択されたローカルヘッダへのＳＬリソース制御および管理移転の設定の詳細を前記ＵＥに伝送するように構成される。
【請求項８３】
基地局（ＢＳ）のビークルツーエブリシング（Ｖ２Ｘ）通信の方法であって、前記方法は、
ユーザ装置（ＵＥ）に少なくとも１つのセルラーダウンリンク（ＤＬ）信号およびチャネルを伝送することと、
前記ＵＥが前記少なくとも１つのセルラーＤＬ信号およびチャネルに基づき、少なくとも１つの第１の受信信号強度および／または電力を測定することによって、前記ＵＥから少なくとも１つのＤＬ無線状態の少なくとも１つの測定結果を受信することと、
前記少なくとも１つのＤＬ無線状態の少なくとも１つの測定結果に基づき、進行中のユニキャストセッションまたは進行中のグループキャストセッションにローカルヘッダを割り当てることと、
前記プロセッサが前記進行中のユニキャストセッションまたは進行中のグループキャストセッションに前記ローカルヘッダを割り当てることを含む補助移転設定の詳細を、前記ＵＥに通知することとを含み、前記ＵＥがＵＥのグループ内の少なくとももう１つのＵＥとユニキャストセッションまたはグループキャストセッションに参加し、前記ＵＥが前記ＵＥのグループのメンバーである。
【請求項８４】
請求項８３に記載の方法であって、前記少なくとも１つのＤＬ無線状態が、前記進行中のユニキャストまたはグループキャストセッションのＤＬスケジューリングベースのモード１動作をサポートし続けるのに十分であるかどうかを判断し、前記ＵＥからの前記少なくとも１つの測定結果を事前決定されたＤＬ無線品質しきい値と比較することをさらに含む。
【請求項８５】
請求項８４に記載の方法であって、前記少なくとも１つのＤＬ無線状態が悪化しているおよび／または不十分であると判断された場合、前記方法は、前記ＵＥから報告された前記少なくとも１つのＳＬ無線状態に基づき、前記進行中のユニキャストセッションまたは前記進行中のグループキャストセッションにローカルヘッダを選択することをさらに含む。
【請求項８６】
請求項８４に記載の方法であって、前記少なくとも１つのＤＬ無線状態が悪化している、および／または不十分である場合、前記ＵＥは、前記ローカルヘッダを選択して前記ＢＳに指定する。
【請求項８７】
請求項８６に記載の方法であって、前記ＵＥは、前記ローカルヘッダをランダムに選択する、または、前記少なくとも１つのＳＬ測定結果に基づき、または車両変態リードであるノードに基づき、前記ローカルヘッダを選択する。
【請求項８８】
請求項８３から８７のいずれか一項に記載の方法であって、前記ＵＥが前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、前記ＵＥから少なくとも１つのＳＬ無線状態の少なくとも１つの測定結果を受信することをさらに含む。
【請求項８９】
請求項８８に記載の方法であって、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項９０】
請求項８８または８９のいずれか一項に記載の方法であって、前記ローカルヘッダは、前記少なくとも１つの近くのＲＳＵのうちの１つである。
【請求項９１】
請求項８３から８９のいずれか一項に記載の方法であって、前記ローカルヘッダは、前記ＵＥのグループのグループメンバーＵＥである。
【請求項９２】
請求項８３から９１のいずれか一項に記載の方法であって、前記セルラーダウンリンク（ＤＬ）信号およびチャネルは、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含む。
【請求項９３】
請求項９２に記載の方法であって、前記ＰＳＳ、ＳＳＳ、およびＰＢＣＨの組み合わせは、同期信号ブロック（ＳＳＢ）を構成する。
【請求項９４】
請求項８３から９３のいずれか一項に記載の方法であって、前記補助移転設定の詳細は、前記ローカルヘッダのタイプおよび前記ローカルヘッダの識別子（ＩＤ）を含む。
【請求項９５】
請求項９４に記載の方法であって、前記ローカルヘッダのタイプは、前記ＢＳと同じの同じＢＳ  ＲＳＵ、前記ＢＳとは異なる異なりＢＳ  ＲＳＵ、ＵＥタイプＲＳＵ、および前記ＵＥのグループのグループメンバーＵＥを含む。
【請求項９６】
請求項８３から９５のいずれか一項に記載の方法であって、前記補助移転設定の詳細は、前記ローカルヘッダが前記進行中のユニキャストセッションまたは前記進行中のグループキャストセッションのＳＬリソースを制御および管理する機能を引き継ぐ開始タイミング、少なくとも１つのＳＬキャリア、前記少なくとも１つのＳＬキャリア内の少なくとも１つのＳＬリソースプール、および／または前記進行中のユニキャストセッションまたは前記進行中のグループキャストセッションを識別するための情報を含む。
【請求項９７】
請求項９６に記載の方法であって、前記開始タイミングは、システムフレーム番号（ＳＦＮ）トへの時間オフセット、開始ＳＦＮ、または暗黙的または固定オフセッとして表される。
【請求項９８】
請求項９６または９７に記載の方法であって、前記進行中のユニキャストセッションまたは前記進行中のグループキャストセッションを識別するための情報は、グループＩＤ、セッションＩＤ、グループメンバーＵＥの数、伝送のタイプ、および／またはすべてのグループメンバーＵＥのＩＤを含む。
【請求項９９】
請求項８３から９８のいずれか一項に記載の方法であって、前記ＵＥのグループ内のすべてのグループメンバーＵＥが無線リソース制御（ＲＲＣ）接続モード１  ＵＥであり、前記ユニキャストセッションがＳＬユニキャストセッションであり、前記グループキャストセッションがＳＬグループキャストセッションであり、前記少なくとも１つのＤＬ無線状態がセルラーＵｕインターフェースの少なくとも１つの無線状態である。
【請求項１００】
請求項８３から９９のいずれか一項に記載の方法であって、前記ＵＥは、ダウンリンクにおける少なくとも１つのＳＳＢおよび／またはＣＳＩ−ＲＳに基づき、少なくとも１つの基準信号受信電力（ＳＳ−ＲＳＲＰ）レベルを測定するように構成される。
【請求項１０１】
請求項１００に記載の方法であって、前記少なくとも１つのＳＳ−ＲＳＲＰレベルが前記モード１動作に対して事前定義または設定されたしきい値を超えている場合、前記ＵＥは、前記少なくとも１つのＤＬ無線状態を監視し続け、前記少なくとも１つのＳＳ−ＲＳＲＰレベルおよび／または報告されたＳＳ−ＲＳＲＰレベルの５０％がモード１動作の事前定義または設定されたしきい値を下回っている場合、前記方法は、前記ＵＥをトリガーしまたは前記ＵＥがセルフトリガーし、少なくとも１つの近くのＲＳＵおよび／または前記ＵＥのグループのグループメンバーＵＥから測定された少なくとも１つのＳＬ  ＲＳＲＰまたは受信信号強度インジケータ（ＲＳＳＩ）レベルを報告することを含む。
【請求項１０２】
請求項１０１に記載の方法であって、前記方法が前記ＵＥをトリガーしまたは前記ＵＥがセルフトリガーし、前記少なくとも１つの近くのＲＳＵおよび／または前記ＵＥのグループの前記グループメンバーＵＥから測定された前記少なくとも１つのＳＬ  ＲＳＲＰまたは受信信号強度インジケータ（ＲＳＳＩ）レベルを報告することを含む場合、前記ＵＥは、ＲＳＵによって伝送されたＳＬＳＳおよび／またはＰＳＢＣＨを検出することによって、近接している任意の近くのＲＳＵを決定する。
【請求項１０３】
請求項１０２に記載の方法であって、少なくとも１つのＲＳＵが近くで検出された場合、前記ＵＥは、検出されたすべてのＲＳＵから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告し、および／または前記ＵＥは、１つ以上の潜在的な候補が存在する場合、前記ＢＳに１つのＲＳＵを候補ローカルヘッダとして指定する。
【請求項１０４】
請求項１０３に記載の方法であって、選択されたローカルヘッダへのＳＬリソース制御および管理移転の設定の詳細を前記ＵＥに伝送することをさらに含む。
【請求項１０５】
請求項１０２に記載の方法であって、前記近くのＲＳＵが検出されない場合、前記ＵＥは、他のグループメンバーＵＥから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告する。
【請求項１０６】
請求項１０５に記載の方法であって、選択されたローカルヘッダへのＳＬリソース制御および管理移転の設定の詳細を前記ＵＥに伝送することをさらに含む。
【請求項１０７】
指令を格納している非一時的な機器可読記憶媒体であって、前記指令がコンピュータによって実行されると、前記コンピュータに請求項３０〜５８および８３〜１０６のいずれか一項に記載の方法を実行させる。
【請求項１０８】
端末装置であって、プロセッサおよびコンピュータプログラムを格納するように構成されるメモリを備え、前記プロセッサは、前記メモリに格納される前記コンピュータプログラムを実行して、請求項３０〜５８のいずれか一項に記載の方法を実行するように構成される。
【請求項１０９】
ネットワーク基地局（ＢＳ）であって、プロセッサおよびコンピュータプログラムを格納するように構成されるメモリを備え、前記プロセッサは、前記メモリに格納される前記コンピュータプログラムを実行して、請求項８３〜１０６のいずれか一項に記載の方法を実行するように構成される。
【発明の詳細な説明】
【技術分野】
【０００１】
本開示は、通信システムの分野に関し、より具体的には、ビークルツーエブリシング（Ｖ２Ｘ）通信のユーザ装置（ＵＥ）、基地局（ＢＳ）および方法に関する。
【背景技術】
【０００２】
今後の第５世代の新しい無線（５Ｇ−ＮＲ）サイドリンク（ＳＬ）通信について、このテクノロジーは、現在のロングタームエボリューションＶ２Ｘ（ＬＴＥ−Ｖ２Ｘ）システムと比較して、より高度なビークルツーエブリシング（Ｖ２Ｘ）ユースケースと幅広いサービスをサポートすることを目的としている。第３世代パートナーシッププロジェクト（３ＧＰＰ）サービスおよびシステムアスペクトワーキンググループ１（ＳＡ１）ですでに定義および指定されている一部のユースケースおよびサービスでは、物理層（ＰＨＹ）でＵＥのグループ間の動的なインタラクションを可能にすることにより、スペクトル効率、低遅延、高信頼性、およびより長い通信範囲を改善するために、ユーザ装置（ＵＥ）がブロードキャストタイプの伝送に参加するだけでなく、ユニキャストとグループキャストをサポートする必要もある。
【０００３】
現在のＬＴＥ−Ｖ２Ｘシステムでは、ブロードキャストタイプの伝送のみがサポートされている。無線リソース制御（ＲＲＣ）接続されたＵＥがネットワークスケジューリングモードで動作しているとき、Ｖ２Ｘデータトラフィックを伝送するためのＳＬリソースは、サービング基地局（ＢＳ）の完全な制御および管理下にある。ＵＥがＶ２Ｘデータメッセージを伝送する必要があるときはいつでも、ＵＥが依然としてサービングＢＳと通信することができる限り、ＵＥは先ずスケジューリング要求をサービングＢＳに送信し、次にＳＬリソース割り当て許可を取得する。ＵＥが悪い無線状態（セルエッジの近くやカバレッジホールにあるなど）を経験する場合、またはサービングＢＳとの無線接続が悪化している困難な無線環境（高干渉、高モビリティおよび／またはドップラーなど）で動作している場合、サービングＢＳはいつでも、ＵＥ自律リソース管理モードで動作するようにＵＥを切り替えて設定することができる。ただし、サービス品質（ＱｏＳ）は、サービングＢＳによって保証されなくなる。現在のＬＴＥ−Ｖ２Ｘシステムの場合、各ＵＥのＶ２Ｘ動作は互いに独立しているため、このシステム動作行為は適切で許容できる可能性がある。つまり、スイッチング動作は、フィールド内の他のＵＥへの影響を最小限に抑える。
【０００４】
一方、新しい無線Ｖ２Ｘ（ＮＲ−Ｖ２Ｘ）でのユニキャストおよびグループキャスト通信の場合、同じグループ内のメンバーＵＥからＳＬリソースの選択は、協調された方法で実行されなくなるので、あるモードから別のモードへの動作の突然または急な切り替えは、進行中のＶ２Ｘサービスの大幅な低下と中断を引き起こす可能性がある。その結果、１つまたは複数のＵＥからのＳＬメッセージの伝送は、半二重制約のために同じグループ内の他のユーザ装置が受信できない場合がある。さらに悪いことに、伝送されたメッセージは互いに衝突し、Ｖ２Ｘサービス全体が機能しなくなる可能性がある。
【発明の内容】
【０００５】
本開示の一目的は、Ｖ２Ｘサービスの継続を維持し、および／またはＶ２Ｘサービスの品質を維持することができる、ユーザ装置（ＵＥ）、基地局（ＢＳ）、および同じものビークルツーエブリシング（Ｖ２Ｘ）通信の方法を提案することである。
【０００６】
本開示の第１の態様では、ビークルツーエブリシング（Ｖ２Ｘ）通信システムにおけるユーザ装置（ＵＥ）は、メモリ、トランシーバ、およびメモリとトランシーバに結合されたプロセッサを備える。プロセッサは、ＵＥのグループ内の少なくとももう１つのＵＥと、ユニキャストセッションまたはグループキャストセッションに参加するように構成される。ＵＥはＵＥのグループのメンバーである。プロセッサは、基地局（ＢＳ）から少なくとも１つのセルラーダウンリンク（ＤＬ）信号およびチャネルを受信するようにトランシーバを制御し、少なくとも１つのセルラーＤＬ信号およびチャネルに基づき、少なくとも１つの第１の受信信号強度および／または電力を測定することによって少なくとも１つのＤＬ無線状態を監視し、少なくとも１つのＤＬ無線状態の少なくとも１つの測定結果をＢＳに報告するようにトランシーバを制御し、およびＢＳから補助移転設定の詳細を受信するようにトランシーバを制御するように構成される。補助移転設定の詳細は、ＢＳが少なくとも１つのＤＬ無線状態の少なくとも１つの測定結果に基づいて、進行中のユニキャストセッションまたは進行中のグループキャストセッションにローカルヘッダを割り当てることを含む。
【０００７】
本開示の第２の態様では、ユーザ装置（ＵＥ）のビークルツーエブリシング（Ｖ２Ｘ）通信の方法は、ＵＥのグループ内の少なくとももう１つのＵＥと、ユニキャストセッションまたはグループキャストセッションに参加することと、基地局（ＢＳ）からの少なくとも１つのセルラーダウンリンク（ＤＬ）信号およびチャネルを受信することと、少なくとも１つのセルラーＤＬ信号およびチャネルに基づき少なくとも１つの第１の受信信号強度および／または電力を測定することによって、少なくとも１つのＤＬ無線状態を監視することと、少なくとも１つのＤＬ無線状態の少なくとも１つの測定結果をＢＳに報告することと、ＢＳから補助移転設定の詳細を受信することとを含む。ＵＥはＵＥのグループのメンバーである。補助移転設定の詳細は、ＢＳが少なくとも１つのＤＬ無線状態の少なくとも１つの測定結果に基づいて、進行中のユニキャストセッションまたは進行中のグループキャストセッションにローカルヘッダーを割り当てることを含む。
【０００８】
本開示の第３の態様では、ビークルツーエブリシング（Ｖ２Ｘ）通信システムにおける基地局（ＢＳ）は、メモリ、トランシーバ、およびメモリとトランシーバに結合されたプロセッサを備える。プロセッサは、ユーザ装置（ＵＥ）に少なくとも１つのセルラーダウンリンク（ＤＬ）信号およびチャネルを伝送するようにトランシーバを制御し、ＵＥが少なくとも１つのセルラーＤＬ信号およびチャネルに基づき、少なくとも１つの第１の受信信号強度および／または電力を測定することによって、ＵＥから少なくとも１つのＤＬ無線状態の少なくとも１つの測定結果を受信するようにトランシーバを制御し、少なくとも１つのＤＬ無線状態の少なくとも１つの測定結果に基づき、進行中のユニキャストセッションまたは進行中のグループキャストセッションにローカルヘッダを割り当て、およびＵＥに補助移転設定の詳細を通知するようにトランシーバを制御するように構成される。ＵＥは、ＵＥのグループ内の少なくとももう１つのＵＥと、ユニキャストセッションまたはグループキャストセッションに参加する。ＵＥはＵＥのグループのメンバーである。補助移転設定の詳細は、プロセッサが進行中のユニキャストセッションまたは進行中のグループキャストセッションにローカルヘッダを割り当てることを含む。
【０００９】
本開示の第４の態様では、基地局（ＢＳ）のビークルツーエブリシング（Ｖ２Ｘ）通信の方法は、ユーザ装置（ＵＥ）に少なくとも１つのセルラーダウンリンク（ＤＬ）信号およびチャネルを伝送することと、ＵＥが少なくとも１つのセルラーＤＬ信号およびチャネルに基づき、少なくとも１つの第１の受信信号強度および／または電力を測定することによって、ＵＥから少なくとも１つのＤＬ無線状態の少なくとも１つの測定結果を受信することと、少なくとも１つのＤＬ無線状態の少なくとも１つの測定結果に基づき、進行中のユニキャストセッションまたは進行中のグループキャストセッションにローカルヘッダを割り当てることと、ＵＥに補助移転設定の詳細を通知するようにトランシーバを制御することとを含む。ＵＥは、ＵＥのグループ内の少なくとももう１つのＵＥと、ユニキャストセッションまたはグループキャストセッションに参加する。ＵＥは、ＵＥのグループのメンバーである。補助移転設定の詳細は、進行中のユニキャストセッションまたは進行中のグループキャストセッションにローカルヘッダを割り当てることを含む。
【００１０】
本開示の実施形態では、ユーザ装置（ＵＥ）、基地局（ＢＳ）、および同じもののビークルツーエブリシング（Ｖ２Ｘ）通信の方法は、ネットワークスケジューリングモードで動作しているユニキャストおよびグループキャストセッション中に、サービングＢＳへの無線接続が劣化または失われている場合でも、サイドリンク（ＳＬ）リソースの統一制御および管理を維持することによって、現在の突然の動作モード切り替え問題を解決することを目的とする。統一アプローチを維持するために、本開示の実施形態では、集中型ノード（ＢＳである）からローカルノード（ローカルヘッダとして示される）へのＳＬリソース制御および管理機能の補助移転を採用することが提案される。そうすることで、進行中のサービスの継続を保証し、ＵＥはグループとして動作し続け（車両の隊列走行など）、サービス品質（ＱｏＳ）が維持され、場合によってはＵＥがネットワークとの無線リソース制御（ＲＲＣ）接続を失う必要がなくなる。
【図面の簡単な説明】
【００１１】
本開示または関連技術の実施形態をより明確に説明するために、実施形態で説明する以下の図面を簡単に紹介する。図面が本開示の単なるいくつかの実施形態であることは明らかであり、当業者は、前提を払うことなく、これらの図面に従って他の図面を得ることができる。
【図１】図１は、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法を実行するための基地局（ＢＳ）およびユーザ装置（ＵＥ）のブロック図である。
【図２】図２は、本開示の一実施形態による、ＵＥの５Ｇ−ＮＲ  Ｖ２Ｘ通信の方法を示すフローチャートである。
【図３】図３は、本開示の一実施形態による、ＢＳの５Ｇ−ＮＲ  Ｖ２Ｘ通信の方法を示すフローチャートである。
【図４】図４は、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法を実行するためのＢＳおよびＵＥの概略図である。
【図５】図５は、路側ユニット（ＲＳＵ）またはグループメンバーＵＥへの、サイドリンク（ＳＬ）リソース制御および管理移転を示す例示的なフローチャートである。
【図６】図６は、本開示の一実施形態による、無線通信のためのシステムのブロック図である。
【発明を実施するための形態】
【００１２】
本開示の実施形態は、以下の添付図面を参照して、技術的問題、構造的特徴、実現される目的、および効果とともに詳細に説明される。具体的には、本開示の実施形態における用語は、単に特定の実施形態の目的を説明するためのものであり、本開示を限定するものではない。
【００１３】
図１は、いくつかの実施形態では、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法のための基地局（ＢＳ）１０およびユーザ装置（ＵＥ）２０を示す。ＢＳ１０は、プロセッサ１１、メモリ１２、およびトランシーバ１３を備えてもよい。プロセッサ１１は、本明細書に記載されている提案された機能、手順、および／または方法を実装するように構成され得る。無線インターフェースプロトコルの層は、プロセッサ１１に実装されてもよい。メモリ１２は、プロセッサ１１と動作可能に結合され、プロセッサ１１を動作させるための様々な情報を格納する。トランシーバ１３は、プロセッサ１１と動作可能に結合され、無線信号を送信および／または受信する。
【００１４】
ＵＥ２０は、プロセッサ２１、メモリ２２、およびトランシーバ２３を備えてもよい。プロセッサ２１は、本明細書に記載されている提案された機能、手順、および／または方法を実装するように構成され得る。無線インターフェースプロトコルの層は、プロセッサ２１に実装されてもよい。メモリ２２は、プロセッサ２１と動作可能に結合され、プロセッサ２１を動作させるための様々な情報を格納する。トランシーバ２３は、プロセッサ２１と動作可能に結合され、無線信号を送信および／または受信する。
【００１５】
プロセッサ１１および２１は、特定用途向け集積回路（ＡＳＩＣ）、他のチップセット、論理回路、および／またはデータ処理装置を含くんでもよい。メモリ１２および２２は、読み取り専用メモリ（ＲＯＭ）、ランダムアクセスメモリ（ＲＡＭ）、フラッシュメモリ、メモリカード、記憶媒体および／または他の記憶装置を含くんでもよい。トランシーバ１３および２３は、無線周波数信号を処理するためのベースバンド回路を含くんでもよい。実施形態がソフトウェアで実装される場合、本明細書で説明される技術は、本明細書で説明される機能を実行するモジュール（例えば、手順、機能など）で実装されてもよい。モジュールは、メモリ１２および２２に格納され、プロセッサ１１および２１によって実行されてもよい。メモリ１２および２２は、プロセッサ１１および２１内またはプロセッサ１１および２１の外部で実装されることができ、その場合、当技術分野で知られているように、様々な手段を介してプロセッサ１１および２１に通信可能に結合することができる。
【００１６】
第３世代パートナーシッププロジェクト（３ＧＰＰ）の新しい無線（ＮＲ）リリース１６以降で開発されたサイドリンクテクノロジーに従い、ＵＥ間の通信は、車両間（Ｖ２Ｖ）、車両と歩行者間（Ｖ２Ｐ）、および車路間／車両とネットワーク間（Ｖ２Ｉ／Ｎ）を含むビークルツーエブリシング（Ｖ２Ｘ）通信に関連する。ＵＥは、ＰＣ５インターフエースなどのサイドリンクインターフエースを介して相互に直接通信される。
【００１７】
いくつかの実施形態では、プロセッサ２１は、ＵＥのグループ内の少なくとももう１つのＵＥと、ユニキャストセッションまたはグループキャストセッションに参加するように構成される。ＵＥ２０はＵＥのグループのメンバーである。プロセッサ２１は、ＢＳ１０から少なくとも１つのセルラーダウンリンク（ＤＬ）信号およびチャネルを受信するようにトランシーバ２３を制御し、少なくとも１つのセルラーＤＬ信号およびチャネルに基づき、少なくとも１つの第１の受信信号強度および／または電力を測定することによって少なくとも１つのＤＬ無線状態を監視し、少なくとも１つのＤＬ無線状態の少なくとも１つの測定結果をＢＳ１０に報告するようにトランシーバ２３を制御し、およびＢＳ１０から補助移転設定の詳細を受信するようにトランシーバ２３を制御するように構成される。補助移転設定の詳細は、ＢＳ１０が少なくとも１つのＤＬ無線状態の少なくとも１つの測定結果に基づいて、進行中のユニキャストセッションまたは進行中のグループキャストセッションにローカルヘッダを割り当てることを含む。
【００１８】
いくつかの実施形態では、プロセッサ１１は、ＵＥ２０に少なくとも１つのセルラーダウンリンク（ＤＬ）信号およびチャネルを伝送するようにトランシーバ１３を制御し、ＵＥ２０が少なくとも１つのセルラーＤＬ信号およびチャネルに基づき、少なくとも１つの第１の受信信号強度および／または電力を測定することによって、ＵＥ２０から少なくとも１つのＤＬ無線状態の少なくとも１つの測定結果を受信するようにトランシーバ１３を制御し、少なくとも１つのＤＬ無線状態の少なくとも１つの測定結果に基づき、進行中のユニキャストセッションまたは進行中のグループキャストセッションにローカルヘッダを割り当て、およびＵＥ２０に補助移転設定の詳細を通知するようにトランシーバ１３を制御するように構成される。ＵＥ２０は、ＵＥのグループ内の少なくとももう１つのＵＥと、ユニキャストセッションまたはグループキャストセッションに参加する。ＵＥ２０はＵＥのグループのメンバーである。補助移転設定の詳細は、プロセッサ１１が進行中のユニキャストセッションまたは進行中のグループキャストセッションにローカルヘッダを割り当てることを含む。
【００１９】
図２は、本開示の一実施形態によるユーザ装置２０の５Ｇ−ＮＲ  Ｖ２Ｘ通信の方法２００を示す。
【００２０】
方法２００は、ブロック２０２で、ＵＥのグループ内の少なくとももう１つのＵＥと、ユニキャストセッションまたはグループキャストセッションに参加することと、ブロック２０４で、ＢＳ１０からの少なくとも１つのセルラーダウンリンク（ＤＬ）信号およびチャネルを受信することと、ブロック２０６で、少なくとも１つのセルラーＤＬ信号およびチャネルに基づき少なくとも１つの第１の受信信号強度および／または電力を測定することによって、少なくとも１つのＤＬ無線状態を監視することと、ブロック２０８で、少なくとも１つのＤＬ無線状態の少なくとも１つの測定結果をＢＳ１０に報告することと、ブロック２１０で、ＢＳ１０から補助移転設定の詳細を受信することとを含む。ＵＥ２０はＵＥのグループのメンバーである。補助移転設定の詳細は、ＢＳ１０が少なくとも１つのＤＬ無線状態の少なくとも１つの測定結果に基づいて、進行中のユニキャストセッションまたは進行中のグループキャストセッションにローカルヘッダを割り当てることを含む。
【００２１】
図３は、本開示の一実施形態による、ＢＳ１０の５Ｇ−ＮＲ  Ｖ２Ｘ通信の方法を示す。
【００２２】
方法３００は、ブロック３０２で、ＵＥ２０に少なくとも１つのセルラーダウンリンク（ＤＬ）信号およびチャネルを伝送することと、ブロック３０４で、ＵＥ２０が少なくとも１つのセルラーＤＬ信号およびチャネルに基づき、少なくとも１つの第１の受信信号強度および／または電力を測定することによって、ＵＥ２０から少なくとも１つのＤＬ無線状態の少なくとも１つの測定結果を受信することと、ブロック３０６で、少なくとも１つのＤＬ無線状態の少なくとも１つの測定結果に基づき、進行中のユニキャストセッションまたは進行中のグループキャストセッションにローカルヘッダを割り当てることと、ブロック３０８で、ＵＥ２０に補助移転設定の詳細を通知することとを含む。ＵＥ２０は、ＵＥのグループ内の少なくとももう１つのＵＥと、ユニキャストセッションまたはグループキャストセッションに参加する。ＵＥ２０は、ＵＥのグループのメンバーである。補助移転設定の詳細は、進行中のユニキャストセッションまたは進行中のグループキャストセッションにローカルヘッダを割り当てることを含む。
【００２３】
本開示の実施形態では、集中型ＢＳノードからローカルヘッダノードへのＳＬリソース制御および管理機能の補助移転は、プロセスは、少なくともＢＳ  ｇノードＢおよび無線リソース制御（ＲＲＣ）接続メンバーＵＥのグループカがユニキャストまたはグループキャストセッションに参加し、ＤＬスケジューリングベースのモード１で動作することを含む。ローカルヘッダノードは、ユニキャストまたはグループキャスト通信セッションからのグループメンバーＵＥ、または利用可能な場合はロード側ユニット（ＲＳＵ）である可能性がある。
【００２４】
図４を参照する。４は、第５世代の新しい無線（５Ｇ−ＮＲ）ビークルツーエブリシング（Ｖ２Ｘ）通信システムにおけるモード１通信のための集中型からローカルリソース制御および管理への補助移転の方法４００が提供される。ユニキャストまたはグループキャストセッションに参加しているＲＲＣ接続グループメンバーＵＥ４０２は、サービングＢＳ  ｇＮＢ４０１からダウンリンクでセルラー信号およびチャネル４０４を受信する。同時に、グループメンバーＵＥ４０２はまた、それらのＶ２Ｘ通信の一部として、近くの路側ユニット４０３からサイドリンク信号およびチャネル４０５を受信することができる。セルラーダウンリンク（ＤＬ）信号およびチャネル４０４は、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含くんでもよい。ＰＳＳ、ＳＳＳ、およびＰＢＣＨの組み合わせは、一般に同期信号ブロック（ＳＳＢ）として知られてる。これらの受信ＤＬ信号およびチャネルのうちの１つまたは複数に基づいて、各グループメンバーＵＥ４０２は、受信信号強度および／または電力を測定することによって、ＤＬ無線状態を監視する４０６。同様に、各グループメンバーＵＥはまた、近くの１つまたは複数のＲＳＵ４０３によって伝送されるＳＬ信号およびチャネル４０５に基づいて受信信号強度および／または電力を測定することによって、ＳＬ無線状態を監視する４０６ことができる。ＳＬ信号およびチャネル４０５は、サイドリンク同期信号（ＳＬＳＳ）、物理サイドリンクブロードキャストチャネル（ＰＳＢＣＨ）のためのＤＭＲＳ、物理サイドリンク制御チャネル（ＰＳＣＣＨ）、物理サイドリンク共有チャネル（ＰＳＳＣＨ）、および検出信号およびチャネルを含くんでもよい。
【００２５】
定期的に、グループメンバーＵＥ４０２は、少なくともＤＬ無線状態の測定結果をＢＳ  ｇＮＢに報告する４０７。ＲＳＵが近くで検出され、ＳＬ測定結果が利用可能である場合、ＵＥ４０２は、ＳＬ無線状態もＢＳ  ｇＮＢに報告する４０７ようにトリガーされ得る。複数のＲＳＵが検出された場合、ＵＥ４０２は、検出されたＲＳＵのうちの１つをローカルヘッダとして指定することを選択することができる。さらに、同じユニキャストまたはグループキャストセッション内のグループメンバーＵＥ４０２はまた、互いの伝送ｖされるＳＬ信号およびチャネルの受信信号強度および／または電力を測定する。また、必要に応じて（たとえば、ローカルＲＳＵが利用できない、すべてのグループメンバーＵＥに共通のローカルＲＳＵがない、またはグループメンバーＵＥ間のＳＬ無線状態を監視する目的で）、ＢＳ  ｇＮＢ４０１はグループメンバーＵＥ４０２をトリガーしてこれらの測定結果を報告してもよい。
【００２６】
ブロック４０８で、セルラーダウンリンク状態が、進行中のユニキャストまたはグループキャストセッションのＤＬスケジューリングベースのモード１動作をサポートし続けるのに十分であるかどうかを判断するために、ＢＳ  ｇＮＢ  ４０１は、グループメンバーＵＥから報告されるＤＬ測定結果を事前決定されたＤＬ無線品質しきい値と比較する。ブロック４０９で、ＤＬ無線状態が悪化して不十分であると判断された場合（たとえば、５０％以上のグループメンバーＵＥからの報告された測定結果がしきい値を下回っている場合）、ＢＳ  ｇＮＢ  ４０１は、グループメンバーＵＥ４０２から報告されたＳＬ無線状態に基づき、進行中のユニキャスト／グループキャストセッションにローカルヘッダを選択し、ローカルヘッダを割り当て、グループメンバーＵＥ４０２に選択を通知する。あるいは、ローカルヘッダの選択は、それらの測定結果（例えば、最も強い平均レベルを有するノード）に基づき、またはノードが車両編隊のリードであるかランダムに選択されることに基づき、グループメンバーＵＥ４０２によって行われ、選択をＢＳ  ｇＮＢ４０１に指定することができる。
【００２７】
ローカルヘッダの割り当ておよびグループメンバーＵＥ４０２への選択の通知は、関連するすべてのノードおよびＵＥにライン４１０でＲＲＣ設定の詳細を送信することによって実行される。したがって、進行中のユニキャストまたはグループキャストセッションのため、ＳＬリソースの制御および管理機能を、集中型ＢＳノードからローカルヘッダに移転する。図４の点線は、近くの１つまたは複数のＲＳＵ４０３との間で送受信されるすべての伝送される信号、チャネル、および設定信号を示す。ライン４１０における補助移転のための設定の詳細は、少なくともローカルヘッダの割り当てを含む。
【００２８】
ローカルヘッダの割り当てにおいて、割り当てられるローカルヘッダがＢＳタイプのＲＳＵ（ＢＳ  ｇＮＢ  ４０１と同じ）である場合、ＳＬリソース制御および管理の移転は同じＢＳ内にある（同じＭＡＣ層エンティティを有する）ため、ローカルヘッダＲＳＵ（点線）への設定は必要でないかもしれない。ＳＬリソースの後続のすべての将来の制御および管理は、ＤＬ  Ｕｕインターフェースの代わりにサイドリンクＰＣ５インターフェースを介してグループメンバーＵＥ４０２に伝達され得る。グループメンバーＵＥ４０２（実線）への設定は、ＤＬ  ＲＲＣシグナリングを介して配信され、ローカルヘッダのタイプおよび割り当てられたローカルヘッダの識別子（ＩＤ）を含む。割り当てられたローカルヘッダのＩＤは、唯一の宛先ＩＤです。
【００２９】
割り当てられるローカルヘッダがＢＳタイプＲＳＵ（異なるＢＳ、４０３）またはＵＥタイプＲＳＵ４０３である場合、実施形態は、ＳＬリソースの制御および管理を、ＲＳＵである選択されたローカルヘッダに転送する。グループメンバーＵＥ４０２およびＲＳＵ４０３のためのライン４１０における設定情報は同じであり、ローカルヘッダのタイプおよび割り当てられたローカルヘッダの識別子（ＩＤ）を含む。割り当てられたローカルヘッダのＩＤは、唯一の宛先ＩＤです。
【００３０】
割り当てられるローカルヘッダがグループメンバーＵＥ４０２の１つである場合、ライン４１０におけるＳＬリソース制御および管理移転のための設定情報は、実線でグループメンバーＵＥ４０２にのみ伝達され得る。設定情報は、ＤＬ  ＲＲＣシグナリングを介して配信され、ローカルヘッダのタイプおよび割り当てられたローカルヘッダの識別子（ＩＤ）を含む。割り当てられたローカルヘッダーのＩＤは、唯一の宛先ＩＤです。
【００３１】
さらに、ライン４１０いにおける設定の詳細はまた、以下のパラメータの１つまたは複数、および／または開始タイミングを含む情報を含くんでもよく、それによって、割り当てられたローカルヘッダが、進行中ユニキャストまたはグループキャストセッションのＳＬリソースを制御および管理する機能を移行する。これは、現在のシステムフレーム番号（ＳＦＮ）への時間オフセット、開始ＳＦＮ、または暗黙的／固定オフセット（たとえば、次のＳＦＮまたは２つのＳＦＮ後）として表すことができる。以下のパラメータおよび／または情報には、割り当てられたローカルヘッダが進行中のユニキャストまたはグループキャストセッションのためのＳＬリソースの制御および管理を引き受けることができる１つまたは複数のＳＬキャリア、割り当てられたローカルヘッダが進行中のユニキャストまたはグループキャストセッションのためのＳＬリソースの制御および管理を引き受けることができる１つまたは複数の指定されるキャリア内の１つまたは複数のＳＬリソースプール、およびグループＩＤまたはセッションＩＤ、グループメンバーＵＥの数、伝送のタイプ（ユニキャストまたはグループキャスト）、および／またはすべてのグループメンバーＵＥのＩＤを含む進行中のユニキャスト／グループキャストセッションを識別するための情報を含くんでもよい。
【００３２】
ＢＳ  ｇＮＢ  ４０１から補助移転設定の詳細を受信すると、割り当てられたＲＳＵまたはグループメンバーＵＥは、進行中のユニキャスト／グループキャストセッションのローカルヘッダ４１１の役割を引き受け、ライン４１２におけるＳＬリソースセットアップ設定の詳細をグループメンバーＵＥ４０２へ送信する。ＳＬリソースセットアップ設定の詳細は、ＳＬ  ＰＣ５インターフェイスを介して、たとえば割り当てられた１つまたは複数のリソースプールのＶ２Ｉリソースプールおよび／またはライン４１０からのキャリアを介して伝送され、詳細は、以下のうちの少なくとも１つに関連する情報を含む。
【００３３】
１．進行中のユニキャストまたはグループキャストセッションのためにグループメンバーＵＥ４０２によって使用される、ライン４１０からの割り当てられた１つまたは複数のリソースプールおよび／またはキャリア内のリソース領域。
【００３４】
２．ＳＬＳＳおよび／またはＰＳＢＣＨを伝送するためのグループメンバーＵＥ４０２への同期リソース設定の詳細。
【００３５】
３．各グループメンバーＵＥ４０２の最新のＶ２Ｘトラフィック情報（例えば、ＵＥ補助情報、バッファーステータスレポート）を提供するためのＳＬリソース。
【００３６】
ローカルヘッダからの要求に基づいて、グループメンバーＵＥ４０２は、ライン４１３において、ＵＥ補助情報および／またはバッファステータスレポートの形式でそれらのＶ２Ｘトラフィック情報を提供する。同時に、ブロック４１４で、割り当てられたローカルヘッダはまた、ＳＬリソースセットアップ設定の詳細を近接する周囲のＵＥに定期的にブロードキャストし、ＳＬリソースの使用状況および予約状況を周囲のＵＥに通知する。
【００３７】
図５を参照する。路側ユニット（ＲＳＵ）またはグループメンバーＵＥへの、サイドリンク（ＳＬ）リソース制御および管理移転を示す例示的なフローチャート５００が提供される。ブロック５０１でＳＬユニキャストまたはグループキャストセッションに参加しているＲＲＣ接続モード１  ＵＥがセルラーＵｕインターフェースの無線状態を監視することである場合、ＵＥは、ブロック５０２で受信されたダウンリンク内のＳＳＢおよび／またはＣＳＩ−ＲＳに基づいて、同期信号基準信号受信電力（ＳＳ−ＲＳＲＰ）レベルを測定し、ブロック５０３で、それらのサービングＢＳ  ｇＮＢに測定結果を定期的に報告する。測定されたＳＳ−ＲＳＲＰの結果が、モード１動作のために事前定義または設定されたしきい値を超える場合、ＵＥは、ブロック５０２でＤＬ無線状態を監視し続ける。ブロック５０４で、測定されたＳＳ−ＲＳＲＰレベルおよび／または報告されたＳＳ−ＲＳＲＰレベルの５０％が、モード１動作のために事前定義または設定されたしきい値を下回る場合、ＢＳがＵＥをトリガーしまたはＵＥがセルフトリガーし、ブロック５０５で１つまたは複数のＲＳＵおよび／またはグループメンバーＵＥから測定されたサイドリンクの無線状態（例えば、ＳＬ  ＲＳＲＰまたはＲＳＳＩレベル）を報告することができる。トリガーされると、ＵＥは、ブロック５０６で、最初に、例えばＶ２Ｉリソースプールを介して伝送されたＳＬＳＳおよび／またはＰＳＢＣＨを検出することによって、近接している任意の近くのＲＳＵを決定する。少なくとも１つのＲＳＵが近くで検出された場合、ＵＥはブロック５０７で検出されたすべてのＲＳＵから受信したＳＬＳＳ、ＰＳＢＣＨ、および／またはＰＳＳＣＨに基づいてＳＬ  ＲＳＲＰおよび／またはＲＳＳＩレベルを測定し、ブロック５０８でこれらの測定結果をＢＳに報告する。同時に、複数の潜在的な候補が存在する場合、ＵＥは１つのＲＳＵをＢＳに指定して候補ローカルヘッダにすることができる。続いて、ブロック５０９で、ＢＳは、報告されたＲＳＵ測定値の中からローカルヘッダを選択し、ＢＳから選択されたローカルヘッダへのＳＬリソース制御および管理移転の設定の詳細をＵＥに送信する。近くのＲＳＵが検出されない場合、ブロック５１０で各ＵＥは他のグループメンバーＵＥから受信したＳＬＳＳ、ＰＳＢＣＨ、および／またはＰＳＳＣＨに基づいてＳＬ  ＲＳＲＰおよび／またはＲＳＳＩレベルを測定し、ブロック５１１でこれらの測定結果をＢＳに報告する。続いて、ブロック５１２で、ＢＳは、報告されたグループメンバーＵＥの測定値の中からローカルヘッダを選択し、ＢＳから選択されたローカルヘッダへのＳＬリソース制御および管理移転の設定の詳細をすべてのグループメンバーＵＥに送信する。選択されたローカルヘッダがＲＳＵであるか、ユニキャスト／グループキャストセッションのグループメンバーＵＥであるかに関係なく、選択されたローカルヘッダの割り当て後、ブロック５１３で、ローカルヘッダは、残りのグループメンバーＵＥにＳＬリソースセットアップの詳細を提供する。次に、ブロック５１４で前記残りのグループメンバーＵＥのそれぞれは、ユニキャストまたはグループキャストセッションを継続するた��に、そのＶ２Ｘトラフィック情報をローカルヘッダに送信する。
【００３８】
図６は、本開示の一実施形態による、無線通信のためのシステム７００のブロック図である。本明細書に記載の実施形態は、適切に構成される任意のハードウェアおよび／またはソフトウェアを使用してシステムに実装することができる。図６は、一実施形態において、少なくとも図示のように互いに結合された、無線周波数（ＲＦ）回路７１０、ベースバンド回路７２０、応用回路７３０、メモリ／ストレージ７４０、ディスプレイ７５０、カメラ７６０、センサ７７０、および入力／出力（Ｉ／Ｏ）インターフェース７８０を備える例示的システム７００を示す。
【００３９】
応用回路７３０は、１つまたは複数のシングルコアまたはマルチコアプロセッサなどの回路を備えてもよいがこれらに限定されない。プロセッサは、汎用プロセッサと、グラフィックプロセッサ、アプリケーションプロセッサなどの専用プロセッサとの任意の組み合わせを含くんでもよい。プロセッサは、メモリ／ストレージと結合され、メモリ／ストレージに格納された命令を実行して、システムで実行される様々なアプリケーションおよび／またはオペレーティングシステムを可能にするように構成されてもよい。
【００４０】
ベースバンド回路７２０は、１つまたは複数のシングルコアまたはマルチコアプロセッサなどの回路を備えてもよいがこれらに限定されない。プロセッサは、ベースバンドプロセッサを含くんでもよい。ベースバンド回路は、ＲＦ回路を介した１つまたは複数の無線ネットワークとの通信を可能にする様々な無線制御機能を処理することができる。無線制御機能は、信号変調、符号化、復号、無線周波数シフトなどを含くんでもよいが、これらに限定されない。いくつかの実施形態では、ベースバンド回路は、１つまたは複数の無線技術と互換性のある通信を提供し得る。例えば、いくつかの実施形態では、ベースバンド回路は、進化型ユニバーサル地上無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路が複数の無線プロトコルの無線通信をサポートするように構成されている実施形態は、マルチモードベースバンド回路と呼ばれることがある。
【００４１】
様々な実施形態では、ベースバンド回路７２０は、ベースバンド周波数にあると厳密に見なされていない信号で動作する回路を備えてももよい。例えば、いくつかの実施形態では、ベースバンド回路は、ベースバンド周波数と無線周波数との間である中間周波数を有する信号で動作する回路を備えてもよい。
【００４２】
ＲＦ回路７１０は、非固体媒体を介した変調電磁放射を使用して無線ネットワークとの通信を可能にすることができる。様々な実施形態では、ＲＦ回路は、無線ネットワークとの通信を容易にするために、スイッチ、フィルタ、増幅器などを備えてもよい。
【００４３】
様々な実施形態では、ＲＦ回路７１０は、無線周波数にあると厳密に見なされていない信号で動作する回路を備えてもよい。例えば、いくつかの実施形態では、ＲＦ回路は、ベースバンド周波数と無線周波数との間である中間周波数を有する信号で動作する回路を備えてもよい。
【００４４】
様々な実施形態において、ユーザ装置、ｅＮＢ、またはｇＮＢに関して以上で論じられた送信回路、制御回路、または受信回路は、ＲＦ回路、ベースバンド回路、および／または応用回路の１つまたは複数に全体的または部分的に具現化されてもよい。。本明細書で使用されるように、「回路」は、１つまたは複数のソフトウェアまたはファームウェアプログラム実行する、特定用途向け集積回路（ＡＳＩＣ）、電子回路、プロセッサ（共有、専用、またはグループ）、および／またはメモリ（共有、専用、またはグループ）は、組み合わせ論理回路、および／または説明された機能を提供する他の適切なハードウェアコンポーネントを指すか、その一部であるか、またはそれらを備えてもよい。いくつかの実施形態では、電子装置回路は、１つまたは複数のソフトウェアまたはファームウェアモジュールに実装され得るか、または回路に関連する機能は１つまたは複数のソフトウェアまたはファームウェアモジュールに実装され得る。
【００４５】
いくつかの実施形態では、ベースバンド回路、応用回路、および／またはメモリ／ストレージの構成要素のいくつかまたはすべては、システムオンチップ（ＳＯＣ）に一緒に実装されてもよい。
【００４６】
メモリ／ストレージ７４０は、例えば、システムのために、データおよび／または命令をロードおよび格納するために使用されてもよい。一実施形態のメモリ／ストレージは、ダイナミックランダムアクセスメモリ（ＤＲＡＭ）などの適切な揮発性メモリ、および／またはフラッシュメモリなどの不揮発性メモリの任意の組み合わせを含くんでもよい。
【００４７】
様々な実施形態では、Ｉ／Ｏインターフェース７８０は、ユーザがシステムとの相互作用を可能にするように設計された１つまたは複数のユーザインターフェース、および／または周辺コンポーネントがシステムとの相互作用を可能にするように設計された周辺コンポーネントインターフェースを備えてもよい。ユーザインターフェースには、物理的なキーボードまたはキーパッド、タッチパッド、スピーカー、マイクなどが含まれるが、これらに限定されない。周辺コンポーネントのインターフェースには、不揮発性メモリポート、ユニバーサルシリアルバス（ＵＳＢ）ポート、オーディオジャック、および電源インターフエースが含まれるが、これらに限定されない。
【００４８】
様々な実施形態では、センサ７７０は、システムに関連する環境条件および／または位置情報を決定するための１つまたは複数のセンシング装置を備えてもよい。いくつかの実施形態では、センサは、ジャイロセンサ、加速度計、近接センサ、周囲光センサ、および測位ユニットを含くんでもよいが、これらに限定されない。測位ユニットはまた、ベースバンド回路および／またはＲＦ回路の一部であるか、またはそれらと相互作用して、測位ネットワーク、例えば、全地球測位システム（ＧＳＰ）衛星のコンポネントと通信することができる。
【００４９】
様々な実施形態において、ディスプレイ７５０は、液晶ディスプレイおよびタッチスクリーンディスプレイなどのディスプレイを含くんでもよい。様々な実施形態では、システム７００は、ラップトップコンピューティングデバイス、タブレットコンピューティングデバイス、ネットブック、ウルトラブック、スマートフォンなどのモバイルコンピューティングデバイスであってもよいがこれらに限定されない。様々な実施形態では、システムは、よ多いかより少ないコンポーネント、および／または異なるアーキテクチャを有してもよい。必要に応じて、本明細書に記載の方法は、コンピュータプログラムとして実施することができる。コンピュータプログラムは、非一時的記憶媒体などの記憶媒体に記憶され得る。
【００５０】
本開示の実施形態では、ユーザ装置（ＵＥ）、基地局（ＢＳ）、および同じもののビークルツーエブリシング（Ｖ２Ｘ）通信の方法は、ネットワークスケジューリングモードで動作しているユニキャストおよびグループキャストセッション中に、サービングＢＳへの無線接続が劣化または失われている場合でも、サイドリンク（ＳＬ）リソースの統一制御および管理を維持することによって、現在の突然の動作モード切り替え問題を解決することを目的とする。統一アプローチを維持するために、本開示の実施形態では、集中型ノード（ＢＳである）からローカルノード（ローカルヘッダとして示される）へのＳＬリソース制御および管理機能の補助移転を採用することが提案される。そうすることで、進行中のサービスの継続を保証し、ＵＥはグループとして動作し続け（車両の隊列走行など）、サービス品質（ＱｏＳ）が維持され、場合によってはＵＥがネットワークとの無線リソース制御（ＲＲＣ）接続を失う必要がなくなる。本開示の実施形態は、最終製品を作成するために３ＧＰＰ仕様で採用される技術／プロセスの組み合わせである。
【００５１】
当業者は、本開示の実施形態で説明および開示されるユニット、アルゴリズム、およびステップのそれぞれが、電子ハードウェアまたはコンピュータ用のソフトウェアと電子ハードウェアの組み合わせを使用して実現されることを理解する。機能がハードウェアで実行されるかソフトウェアで実行されるかは、応用の条件と技術計画の設計要件によって異なる。
【００５２】
当業者は、異なる方法を使用して、特定の用途ごとに機能を実現することができるが、そのような実現は、本開示の範囲を超えてはならない。当業者は、上記のシステム、装置、およびユニットの作業プロセスが基本的に同じであり、上記の実施形態におけるシステム、装置、およびユニットの作業プロセスを参照できることが理解される。説明を簡単にし、簡素化するために、これらの作業プロセスについては詳しく説明しない。
【００５３】
本開示の実施形態における開示されたシステム、装置、および方法は、他の方法で実現できることが理解される。上記の実施形態は単なる例示である。ユニットの分割は単に論理機能に基づいているが、実現において他の分割もある。複数のユニットまたはコンポーネントが組み合わされたり、別のシステムに統合されたりする可能性がある。一部の特徴が省略またはスキップされる可能性もある。他方、表示または議論された相互結合、直接結合、または通信結合は、電気的、機械的、または他の種類の形態によって間接的または通信的に、いくつかのポート、デバイス、またはユニットを介して動作する。
【００５４】
説明のための分離コンポーネントとしてのユニットは、物理的に分離されているか、または分離されていない。表示用のユニットは、物理的なユニットである場合とそうでない場合がある。つまり、１つの場所に配置されているか、複数のネットワークユニットに分散されている。ユニットのいくつかまたはすべては、実施形態の目的に従って使用される。さらに、各実施形態の各機能ユニットは、１つの処理ユニットに集積されるか、物理的に独立するか、または２つまたは３つ以上のユニットを備えた１つの処理ユニットに集積されることができる。
【００５５】
ソフトウェア機能ユニットが実現され、製品として使用および販売されれば、コンピュータの読み取り可能な記憶媒体に格納することができる。この理解に基づいて、本開示によって提案される技術計画は、本質的または部分的にソフトウェア製品の形態として実現することができる。または、従来の技術に有益な技術計画の一部をソフトウェア製品の形で実現することもできる。コンピュータ内のソフトウェア製品は、計算デバイス（パーソナルコンピュータ、サーバー、またはネットワーク装置など）が、本開示の実施形態によって開示されるステップのすべてまたは一部を実行するための複数の命令を含む記憶媒体に格納される。記憶媒体には、ＵＳＢディスク、モバイルハードディスク、読み取り専用メモリ（ＲＯＭ）、ランダムアクセスメモリ（ＲＡＭ）、フロッピーディスク、またはプログラムコードを格納できるその他の種類の媒体が含まれる。
【００５６】
本開示は、最も実用的で好ましい実施形態と考えられるものに関連して説明されてきたが、本開示は、開示された実施形態に限定されず、添付のクレームの最も広い解釈の範囲から逸脱することなく行われた様々な配置をカバーすることを意図することが理解される。
【図１】
2022500941.tif 000003
【図２】
2022500941.tif 000004
【図３】
2022500941.tif 000005
【図４】
2022500941.tif 000006
【図５】
2022500941.tif 000007
【図６】
2022500941.tif 000008
【手続補正書】
【提出日】令和3年3月23日(2021.3.23)
【手続補正１】
【補正対象書類名】明細書
【補正対象項目名】全文
【補正方法】変更
【補正の内容】
【発明の詳細な説明】
【技術分野】
【０００１】
本開示は、通信システムの分野に関し、より具体的には、ビークルツーエブリシング（Ｖ２Ｘ）通信のユーザ装置（ＵＥ）、基地局（ＢＳ）および方法に関する。
【背景技術】
【０００２】
今後の第５世代の新しい無線（５Ｇ−ＮＲ）サイドリンク（ＳＬ）通信について、このテクノロジーは、現在のロングタームエボリューションＶ２Ｘ（ＬＴＥ−Ｖ２Ｘ）システムと比較して、より高度なビークルツーエブリシング（Ｖ２Ｘ）ユースケースと幅広いサービスをサポートすることを目的としている。第３世代パートナーシッププロジェクト（３ＧＰＰ）サービスおよびシステムアスペクトワーキンググループ１（ＳＡ１）ですでに定義および指定されている一部のユースケースおよびサービスでは、物理層（ＰＨＹ）でＵＥのグループ間の動的なインタラクションを可能にすることにより、スペクトル効率、低遅延、高信頼性、およびより長い通信範囲を改善するために、ユーザ装置（ＵＥ）がブロードキャストタイプの伝送に参加するだけでなく、ユニキャストとグループキャストをサポートする必要もある。
【０００３】
現在のＬＴＥ−Ｖ２Ｘシステムでは、ブロードキャストタイプの伝送のみがサポートされている。無線リソース制御（ＲＲＣ）接続されたＵＥがネットワークスケジューリングモードで動作しているとき、Ｖ２Ｘデータトラフィックを伝送するためのＳＬリソースは、サービング基地局（ＢＳ）の完全な制御および管理下にある。ＵＥがＶ２Ｘデータメッセージを伝送する必要があるときはいつでも、ＵＥが依然としてサービングＢＳと通信することができる限り、ＵＥは先ずスケジューリング要求をサービングＢＳに送信し、次にＳＬリソース割り当て許可を取得する。ＵＥが悪い無線状態（セルエッジの近くやカバレッジホールにあるなど）を経験する場合、またはサービングＢＳとの無線接続が悪化している困難な無線環境（高干渉、高モビリティおよび／またはドップラーなど）で動作している場合、サービングＢＳはいつでも、ＵＥ自律リソース管理モードで動作するようにＵＥを切り替えて設定することができる。ただし、サービス品質（ＱｏＳ）は、サービングＢＳによって保証されなくなる。現在のＬＴＥ−Ｖ２Ｘシステムの場合、各ＵＥのＶ２Ｘ動作は互いに独立しているため、このシステム動作行為は適切で許容できる可能性がある。つまり、スイッチング動作は、フィールド内の他のＵＥへの影響を最小限に抑える。
【０００４】
一方、新しい無線Ｖ２Ｘ（ＮＲ−Ｖ２Ｘ）でのユニキャストおよびグループキャスト通信の場合、同じグループ内のメンバーＵＥからＳＬリソースの選択は、協調された方法で実行されなくなるので、あるモードから別のモードへの動作の突然または急な切り替えは、進行中のＶ２Ｘサービスの大幅な低下と中断を引き起こす可能性がある。その結果、１つまたは複数のＵＥからのＳＬメッセージの伝送は、半二重制約のために同じグループ内の他のユーザ装置が受信できない場合がある。さらに悪いことに、伝送されたメッセージは互いに衝突し、Ｖ２Ｘサービス全体が機能しなくなる可能性がある。
【発明の内容】
【０００５】
本開示の一目的は、Ｖ２Ｘサービスの継続を維持し、および／またはＶ２Ｘサービスの品質を維持することができる、ユーザ装置（ＵＥ）、基地局（ＢＳ）、および同じものビークルツーエブリシング（Ｖ２Ｘ）通信の方法を提案することである。
【０００６】
本開示の第１の態様では、ビークルツーエブリシング（Ｖ２Ｘ）通信システムにおけるユーザ装置（ＵＥ）は、メモリ、トランシーバ、およびメモリとトランシーバに結合されたプロセッサを備える。プロセッサは、ＵＥのグループ内の少なくとももう１つのＵＥと、ユニキャストセッションまたはグループキャストセッションに参加するように構成される。ＵＥはＵＥのグループのメンバーである。プロセッサは、基地局（ＢＳ）から少なくとも１つのセルラーダウンリンク（ＤＬ）信号およびチャネルを受信するようにトランシーバを制御し、少なくとも１つのセルラーＤＬ信号およびチャネルに基づき、少なくとも１つの第１の受信信号強度および／または電力を測定することによって少なくとも１つのＤＬ無線状態を監視し、少なくとも１つのＤＬ無線状態の少なくとも１つの測定結果をＢＳに報告するようにトランシーバを制御し、およびＢＳから補助移転設定の詳細を受信するようにトランシーバを制御するように構成される。補助移転設定の詳細は、ＢＳが少なくとも１つのＤＬ無線状態の少なくとも１つの測定結果に基づいて、進行中のユニキャストセッションまたは進行中のグループキャストセッションにローカルヘッダを割り当てることを含む。
【０００７】
本開示の第２の態様では、ユーザ装置（ＵＥ）のビークルツーエブリシング（Ｖ２Ｘ）通信の方法は、ＵＥのグループ内の少なくとももう１つのＵＥと、ユニキャストセッションまたはグループキャストセッションに参加することと、基地局（ＢＳ）からの少なくとも１つのセルラーダウンリンク（ＤＬ）信号およびチャネルを受信することと、少なくとも１つのセルラーＤＬ信号およびチャネルに基づき少なくとも１つの第１の受信信号強度および／または電力を測定することによって、少なくとも１つのＤＬ無線状態を監視することと、少なくとも１つのＤＬ無線状態の少なくとも１つの測定結果をＢＳに報告することと、ＢＳから補助移転設定の詳細を受信することとを含む。ＵＥはＵＥのグループのメンバーである。補助移転設定の詳細は、ＢＳが少なくとも１つのＤＬ無線状態の少なくとも１つの測定結果に基づいて、進行中のユニキャストセッションまたは進行中のグループキャストセッションにローカルヘッダーを割り当てることを含む。
【０００８】
本開示の第３の態様では、ビークルツーエブリシング（Ｖ２Ｘ）通信システムにおける基地局（ＢＳ）は、メモリ、トランシーバ、およびメモリとトランシーバに結合されたプロセッサを備える。プロセッサは、ユーザ装置（ＵＥ）に少なくとも１つのセルラーダウンリンク（ＤＬ）信号およびチャネルを伝送するようにトランシーバを制御し、ＵＥが少なくとも１つのセルラーＤＬ信号およびチャネルに基づき、少なくとも１つの第１の受信信号強度および／または電力を測定することによって、ＵＥから少なくとも１つのＤＬ無線状態の少なくとも１つの測定結果を受信するようにトランシーバを制御し、少なくとも１つのＤＬ無線状態の少なくとも１つの測定結果に基づき、進行中のユニキャストセッションまたは進行中のグループキャストセッションにローカルヘッダを割り当て、およびＵＥに補助移転設定の詳細を通知するようにトランシーバを制御するように構成される。ＵＥは、ＵＥのグループ内の少なくとももう１つのＵＥと、ユニキャストセッションまたはグループキャストセッションに参加する。ＵＥはＵＥのグループのメンバーである。補助移転設定の詳細は、プロセッサが進行中のユニキャストセッションまたは進行中のグループキャストセッションにローカルヘッダを割り当てることを含む。
【０００９】
本開示の第４の態様では、基地局（ＢＳ）のビークルツーエブリシング（Ｖ２Ｘ）通信の方法は、ユーザ装置（ＵＥ）に少なくとも１つのセルラーダウンリンク（ＤＬ）信号およびチャネルを伝送することと、ＵＥが少なくとも１つのセルラーＤＬ信号およびチャネルに基づき、少なくとも１つの第１の受信信号強度および／または電力を測定することによって、ＵＥから少なくとも１つのＤＬ無線状態の少なくとも１つの測定結果を受信することと、少なくとも１つのＤＬ無線状態の少なくとも１つの測定結果に基づき、進行中のユニキャストセッションまたは進行中のグループキャストセッションにローカルヘッダを割り当てることと、ＵＥに補助移転設定の詳細を通知するようにトランシーバを制御することとを含む。ＵＥは、ＵＥのグループ内の少なくとももう１つのＵＥと、ユニキャストセッションまたはグループキャストセッションに参加する。ＵＥは、ＵＥのグループのメンバーである。補助移転設定の詳細は、進行中のユニキャストセッションまたは進行中のグループキャストセッションにローカルヘッダを割り当てることを含む。
【００１０】
本開示の実施形態では、ユーザ装置（ＵＥ）、基地局（ＢＳ）、および同じもののビークルツーエブリシング（Ｖ２Ｘ）通信の方法は、ネットワークスケジューリングモードで動作しているユニキャストおよびグループキャストセッション中に、サービングＢＳへの無線接続が劣化または失われている場合でも、サイドリンク（ＳＬ）リソースの統一制御および管理を維持することによって、現在の突然の動作モード切り替え問題を解決することを目的とする。統一アプローチを維持するために、本開示の実施形態では、集中型ノード（ＢＳである）からローカルノード（ローカルヘッダとして示される）へのＳＬリソース制御および管理機能の補助移転を採用することが提案される。そうすることで、進行中のサービスの継続を保証し、ＵＥはグループとして動作し続け（車両の隊列走行など）、サービス品質（ＱｏＳ）が維持され、場合によってはＵＥがネットワークとの無線リソース制御（ＲＲＣ）接続を失う必要がなくなる。
【図面の簡単な説明】
【００１１】
本開示または関連技術の実施形態をより明確に説明するために、実施形態で説明する以下の図面を簡単に紹介する。図面が本開示の単なるいくつかの実施形態であることは明らかであり、当業者は、前提を払うことなく、これらの図面に従って他の図面を得ることができる。
【図１】図１は、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法を実行するための基地局（ＢＳ）およびユーザ装置（ＵＥ）のブロック図である。
【図２】図２は、本開示の一実施形態による、ＵＥの５Ｇ−ＮＲ  Ｖ２Ｘ通信の方法を示すフローチャートである。
【図３】図３は、本開示の一実施形態による、ＢＳの５Ｇ−ＮＲ  Ｖ２Ｘ通信の方法を示すフローチャートである。
【図４】図４は、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法を実行するためのＢＳおよびＵＥの概略図である。
【図５】図５は、路側ユニット（ＲＳＵ）またはグループメンバーＵＥへの、サイドリンク（ＳＬ）リソース制御および管理移転を示す例示的なフローチャートである。
【図６】図６は、本開示の一実施形態による、無線通信のためのシステムのブロック図である。
【発明を実施するための形態】
【００１２】
本開示の実施形態は、以下の添付図面を参照して、技術的問題、構造的特徴、実現される目的、および効果とともに詳細に説明される。具体的には、本開示の実施形態における用語は、単に特定の実施形態の目的を説明するためのものであり、本開示を限定するものではない。
【００１３】
図１は、いくつかの実施形態では、本開示の一実施形態による、第５世代の新しい無線（５Ｇ−ＮＲ）ビークルツーエブリシング（Ｖ２Ｘ）通信システムにおけるモード１通信のための集中型からローカルリソース制御および管理への補助移転の方法のための基地局（ＢＳ）１０およびユーザ装置（ＵＥ）２０を示す。ＢＳ１０は、プロセッサ１１、メモリ１２、およびトランシーバ１３を備えてもよい。プロセッサ１１は、本明細書に記載されている提案された機能、手順、および／または方法を実装するように構成され得る。無線インターフェースプロトコルの層は、プロセッサ１１に実装されてもよい。メモリ１２は、プロセッサ１１と動作可能に結合され、プロセッサ１１を動作させるための様々な情報を格納する。トランシーバ１３は、プロセッサ１１と動作可能に結合され、無線信号を送信および／または受信する。
【００１４】
ＵＥ２０は、プロセッサ２１、メモリ２２、およびトランシーバ２３を備えてもよい。プロセッサ２１は、本明細書に記載されている提案された機能、手順、および／または方法を実装するように構成され得る。無線インターフェースプロトコルの層は、プロセッサ２１に実装されてもよい。メモリ２２は、プロセッサ２１と動作可能に結合され、プロセッサ２１を動作させるための様々な情報を格納する。トランシーバ２３は、プロセッサ２１と動作可能に結合され、無線信号を送信および／または受信する。
【００１５】
プロセッサ１１および２１は、特定用途向け集積回路（ＡＳＩＣ）、他のチップセット、論理回路、および／またはデータ処理装置を含くんでもよい。メモリ１２および２２は、読み取り専用メモリ（ＲＯＭ）、ランダムアクセスメモリ（ＲＡＭ）、フラッシュメモリ、メモリカード、記憶媒体および／または他の記憶装置を含くんでもよい。トランシーバ１３および２３は、無線周波数信号を処理するためのベースバンド回路を含くんでもよい。実施形態がソフトウェアで実装される場合、本明細書で説明される技術は、本明細書で説明される機能を実行するモジュール（例えば、手順、機能など）で実装されてもよい。モジュールは、メモリ１２および２２に格納され、プロセッサ１１および２１によって実行されてもよい。メモリ１２および２２は、プロセッサ１１および２１内またはプロセッサ１１および２１の外部で実装されることができ、その場合、当技術分野で知られているように、様々な手段を介してプロセッサ１１および２１に通信可能に結合することができる。
【００１６】
第３世代パートナーシッププロジェクト（３ＧＰＰ）の新しい無線（ＮＲ）リリース１６以降で開発されたサイドリンクテクノロジーに従い、ＵＥ間の通信は、車両間（Ｖ２Ｖ）、車両と歩行者間（Ｖ２Ｐ）、および車路間／車両とネットワーク間（Ｖ２Ｉ／Ｎ）を含むビークルツーエブリシング（Ｖ２Ｘ）通信に関連する。ＵＥは、ＰＣ５インターフエースなどのサイドリンクインターフエースを介して相互に直接通信される。
【００１７】
いくつかの実施形態では、プロセッサ２１は、ＵＥのグループ内の少なくとももう１つのＵＥと、ユニキャストセッションまたはグループキャストセッションに参加するように構成される。ＵＥ２０はＵＥのグループのメンバーである。プロセッサ２１は、ＢＳ１０から少なくとも１つのセルラーダウンリンク（ＤＬ）信号およびチャネルを受信するようにトランシーバ２３を制御し、少なくとも１つのセルラーＤＬ信号およびチャネルに基づき、少なくとも１つの第１の受信信号強度および／または電力を測定することによって少なくとも１つのＤＬ無線状態を監視し、少なくとも１つのＤＬ無線状態の少なくとも１つの測定結果をＢＳ１０に報告するようにトランシーバ２３を制御し、およびＢＳ１０から補助移転設定の詳細を受信するようにトランシーバ２３を制御するように構成される。補助移転設定の詳細は、ＢＳ１０が少なくとも１つのＤＬ無線状態の少なくとも１つの測定結果に基づいて、進行中のユニキャストセッションまたは進行中のグループキャストセッションにローカルヘッダを割り当てることを含む。
【００１８】
いくつかの実施形態では、プロセッサ１１は、ＵＥ２０に少なくとも１つのセルラーダウンリンク（ＤＬ）信号およびチャネルを伝送するようにトランシーバ１３を制御し、ＵＥ２０が少なくとも１つのセルラーＤＬ信号およびチャネルに基づき、少なくとも１つの第１の受信信号強度および／または電力を測定することによって、ＵＥ２０から少なくとも１つのＤＬ無線状態の少なくとも１つの測定結果を受信するようにトランシーバ１３を制御し、少なくとも１つのＤＬ無線状態の少なくとも１つの測定結果に基づき、進行中のユニキャストセッションまたは進行中のグループキャストセッションにローカルヘッダを割り当て、およびＵＥ２０に補助移転設定の詳細を通知するようにトランシーバ１３を制御するように構成される。ＵＥ２０は、ＵＥのグループ内の少なくとももう１つのＵＥと、ユニキャストセッションまたはグループキャストセッションに参加する。ＵＥ２０はＵＥのグループのメンバーである。補助移転設定の詳細は、プロセッサ１１が進行中のユニキャストセッションまたは進行中のグループキャストセッションにローカルヘッダを割り当てることを含む。
【００１９】
図２は、本開示の一実施形態によるユーザ装置２０の５Ｇ−ＮＲ  Ｖ２Ｘ通信の方法２００を示す。
【００２０】
方法２００は、ブロック２０２で、ＵＥのグループ内の少なくとももう１つのＵＥと、ユニキャストセッションまたはグループキャストセッションに参加することと、ブロック２０４で、ＢＳ１０からの少なくとも１つのセルラーダウンリンク（ＤＬ）信号およびチャネルを受信することと、ブロック２０６で、少なくとも１つのセルラーＤＬ信号およびチャネルに基づき少なくとも１つの第１の受信信号強度および／または電力を測定することによって、少なくとも１つのＤＬ無線状態を監視することと、ブロック２０８で、少なくとも１つのＤＬ無線状態の少なくとも１つの測定結果をＢＳ１０に報告することと、ブロック２１０で、ＢＳ１０から補助移転設定の詳細を受信することとを含む。ＵＥ２０はＵＥのグループのメンバーである。補助移転設定の詳細は、ＢＳ１０が少なくとも１つのＤＬ無線状態の少なくとも１つの測定結果に基づいて、進行中のユニキャストセッションまたは進行中のグループキャストセッションにローカルヘッダを割り当てることを含む。
【００２１】
図３は、本開示の一実施形態による、ＢＳ１０の５Ｇ−ＮＲ  Ｖ２Ｘ通信の方法を示す。
【００２２】
方法３００は、ブロック３０２で、ＵＥ２０に少なくとも１つのセルラーダウンリンク（ＤＬ）信号およびチャネルを伝送することと、ブロック３０４で、ＵＥ２０が少なくとも１つのセルラーＤＬ信号およびチャネルに基づき、少なくとも１つの第１の受信信号強度および／または電力を測定することによって、ＵＥ２０から少なくとも１つのＤＬ無線状態の少なくとも１つの測定結果を受信することと、ブロック３０６で、少なくとも１つのＤＬ無線状態の少なくとも１つの測定結果に基づき、進行中のユニキャストセッションまたは進行中のグループキャストセッションにローカルヘッダを割り当てることと、ブロック３０８で、ＵＥ２０に補助移転設定の詳細を通知することとを含む。ＵＥ２０は、ＵＥのグループ内の少なくとももう１つのＵＥと、ユニキャストセッションまたはグループキャストセッションに参加する。ＵＥ２０は、ＵＥのグループのメンバーである。補助移転設定の詳細は、進行中のユニキャストセッションまたは進行中のグループキャストセッションにローカルヘッダを割り当てることを含む。
【００２３】
本開示の実施形態では、集中型ＢＳノードからローカルヘッダノードへのＳＬリソース制御および管理機能の補助移転は、プロセスは、少なくともＢＳ  ｇノードＢおよび無線リソース制御（ＲＲＣ）接続メンバーＵＥのグループカがユニキャストまたはグループキャストセッションに参加し、ＤＬスケジューリングベースのモード１で動作することを含む。ローカルヘッダノードは、ユニキャストまたはグループキャスト通信セッションからのグループメンバーＵＥ、または利用可能な場合はロード側ユニット（ＲＳＵ）である可能性がある。
【００２４】
図４を参照する。４は、第５世代の新しい無線（５Ｇ−ＮＲ）ビークルツーエブリシング（Ｖ２Ｘ）通信システムにおけるモード１通信のための集中型からローカルリソース制御および管理への補助移転の方法４００が提供される。ユニキャストまたはグループキャストセッションに参加しているＲＲＣ接続グループメンバーＵＥ４０２は、サービングＢＳ  ｇＮＢ４０１からダウンリンクでセルラー信号およびチャネル４０４を受信する。同時に、グループメンバーＵＥ４０２はまた、それらのＶ２Ｘ通信の一部として、近くの路側ユニット４０３からサイドリンク信号およびチャネル４０５を受信することができる。セルラーダウンリンク（ＤＬ）信号およびチャネル４０４は、プライマリ同期信号（ＰＳＳ）、セカンダリ同期信号（ＳＳＳ）、復調基準信号（ＤＭＲＳ）、物理ブロードキャストチャネル（ＰＢＣＨ）、チャネル状態情報基準信号（ＣＳＩ−ＲＳ）、物理ダウンリンク制御チャネル（ＰＤＣＣＨ）、および／または物理ダウンリンク共有チャネル（ＰＤＳＣＨ）を含くんでもよい。ＰＳＳ、ＳＳＳ、およびＰＢＣＨの組み合わせは、一般に同期信号ブロック（ＳＳＢ）として知られてる。これらの受信ＤＬ信号およびチャネルのうちの１つまたは複数に基づいて、各グループメンバーＵＥ４０２は、受信信号強度および／または電力を測定することによって、ＤＬ無線状態を監視する４０６。同様に、各グループメンバーＵＥはまた、近くの１つまたは複数のＲＳＵ４０３によって伝送されるＳＬ信号およびチャネル４０５に基づいて受信信号強度および／または電力を測定することによって、ＳＬ無線状態を監視する４０６ことができる。ＳＬ信号およびチャネル４０５は、サイドリンク同期信号（ＳＬＳＳ）、物理サイドリンクブロードキャストチャネル（ＰＳＢＣＨ）のためのＤＭＲＳ、物理サイドリンク制御チャネル（ＰＳＣＣＨ）、物理サイドリンク共有チャネル（ＰＳＳＣＨ）、および検出信号およびチャネルを含くんでもよい。
【００２５】
定期的に、グループメンバーＵＥ４０２は、少なくともＤＬ無線状態の測定結果をＢＳ  ｇＮＢに報告する４０７。ＲＳＵが近くで検出され、ＳＬ測定結果が利用可能である場合、ＵＥ４０２は、ＳＬ無線状態もＢＳ  ｇＮＢに報告する４０７ようにトリガーされ得る。複数のＲＳＵが検出された場合、ＵＥ４０２は、検出されたＲＳＵのうちの１つをローカルヘッダとして指定することを選択することができる。さらに、同じユニキャストまたはグループキャストセッション内のグループメンバーＵＥ４０２はまた、互いの伝送ｖされるＳＬ信号およびチャネルの受信信号強度および／または電力を測定する。また、必要に応じて（たとえば、ローカルＲＳＵが利用できない、すべてのグループメンバーＵＥに共通のローカルＲＳＵがない、またはグループメンバーＵＥ間のＳＬ無線状態を監視する目的で）、ＢＳ  ｇＮＢ４０１はグループメンバーＵＥ４０２をトリガーしてこれらの測定結果を報告してもよい。
【００２６】
ブロック４０８で、セルラーダウンリンク状態が、進行中のユニキャストまたはグループキャストセッションのＤＬスケジューリングベースのモード１動作をサポートし続けるのに十分であるかどうかを判断するために、ＢＳ  ｇＮＢ  ４０１は、グループメンバーＵＥから報告されるＤＬ測定結果を事前決定されたＤＬ無線品質しきい値と比較する。ブロック４０９で、ＤＬ無線状態が悪化して不十分であると判断された場合（たとえば、５０％以上のグループメンバーＵＥからの報告された測定結果がしきい値を下回っている場合）、ＢＳ  ｇＮＢ  ４０１は、グループメンバーＵＥ４０２から報告されたＳＬ無線状態に基づき、進行中のユニキャスト／グループキャストセッションにローカルヘッダを選択し、ローカルヘッダを割り当て、グループメンバーＵＥ４０２に選択を通知する。あるいは、ローカルヘッダの選択は、それらの測定結果（例えば、最も強い平均レベルを有するノード）に基づき、またはノードが車両編隊のリードであるかランダムに選択されることに基づき、グループメンバーＵＥ４０２によって行われ、選択をＢＳ  ｇＮＢ４０１に指定することができる。
【００２７】
ローカルヘッダの割り当ておよびグループメンバーＵＥ４０２への選択の通知は、関連するすべてのノードおよびＵＥにライン４１０でＲＲＣ設定の詳細を送信することによって実行される。したがって、進行中のユニキャストまたはグループキャストセッションのため、ＳＬリソースの制御および管理機能を、集中型ＢＳノードからローカルヘッダに移転する。図４の点線は、近くの１つまたは複数のＲＳＵ４０３との間で送受信されるすべての伝送される信号、チャネル、および設定信号を示す。ライン４１０における補助移転のための設定の詳細は、少なくともローカルヘッダの割り当てを含む。
【００２８】
ローカルヘッダの割り当てにおいて、割り当てられるローカルヘッダがＢＳタイプのＲＳＵ（ＢＳ  ｇＮＢ  ４０１と同じ）である場合、ＳＬリソース制御および管理の移転は同じＢＳ内にある（同じＭＡＣ層エンティティを有する）ため、ローカルヘッダＲＳＵ（点線）への設定は必要でないかもしれない。ＳＬリソースの後続のすべての将来の制御および管理は、ＤＬ  Ｕｕインターフェースの代わりにサイドリンクＰＣ５インターフェースを介してグループメンバーＵＥ４０２に伝達され得る。グループメンバーＵＥ４０２（実線）への設定は、ＤＬ  ＲＲＣシグナリングを介して配信され、ローカルヘッダのタイプおよび割り当てられたローカルヘッダの識別子（ＩＤ）を含む。割り当てられたローカルヘッダのＩＤは、唯一の宛先ＩＤです。
【００２９】
割り当てられるローカルヘッダがＢＳタイプＲＳＵ（異なるＢＳ、４０３）またはＵＥタイプＲＳＵ４０３である場合、実施形態は、ＳＬリソースの制御および管理を、ＲＳＵである選択されたローカルヘッダに転送する。グループメンバーＵＥ４０２およびＲＳＵ４０３のためのライン４１０における設定情報は同じであり、ローカルヘッダのタイプおよび割り当てられたローカルヘッダの識別子（ＩＤ）を含む。割り当てられたローカルヘッダのＩＤは、唯一の宛先ＩＤです。
【００３０】
割り当てられるローカルヘッダがグループメンバーＵＥ４０２の１つである場合、ライン４１０におけるＳＬリソース制御および管理移転のための設定情報は、実線でグループメンバーＵＥ４０２にのみ伝達され得る。設定情報は、ＤＬ  ＲＲＣシグナリングを介して配信され、ローカルヘッダのタイプおよび割り当てられたローカルヘッダの識別子（ＩＤ）を含む。割り当てられたローカルヘッダーのＩＤは、唯一の宛先ＩＤです。
【００３１】
さらに、ライン４１０いにおける設定の詳細はまた、以下のパラメータの１つまたは複数、および／または開始タイミングを含む情報を含くんでもよく、それによって、割り当てられたローカルヘッダが、進行中ユニキャストまたはグループキャストセッションのＳＬリソースを制御および管理する機能を移行する。これは、現在のシステムフレーム番号（ＳＦＮ）への時間オフセット、開始ＳＦＮ、または暗黙的／固定オフセット（たとえば、次のＳＦＮまたは２つのＳＦＮ後）として表すことができる。以下のパラメータおよび／または情報には、割り当てられたローカルヘッダが進行中のユニキャストまたはグループキャストセッションのためのＳＬリソースの制御および管理を引き受けることができる１つまたは複数のＳＬキャリア、割り当てられたローカルヘッダが進行中のユニキャストまたはグループキャストセッションのためのＳＬリソースの制御および管理を引き受けることができる１つまたは複数の指定されるキャリア内の１つまたは複数のＳＬリソースプール、およびグループＩＤまたはセッションＩＤ、グループメンバーＵＥの数、伝送のタイプ（ユニキャストまたはグループキャスト）、および／またはすべてのグループメンバーＵＥのＩＤを含む進行中のユニキャスト／グループキャストセッションを識別するための情報を含くんでもよい。
【００３２】
ＢＳ  ｇＮＢ  ４０１から補助移転設定の詳細を受信すると、割り当てられたＲＳＵまたはグループメンバーＵＥは、進行中のユニキャスト／グループキャストセッションのローカルヘッダ４１１の役割を引き受け、ライン４１２におけるＳＬリソースセットアップ設定の詳細をグループメンバーＵＥ４０２へ送信する。ＳＬリソースセットアップ設定の詳細は、ＳＬ  ＰＣ５インターフェイスを介して、たとえば割り当てられた１つまたは複数のリソースプールのＶ２Ｉリソースプールおよび／またはライン４１０からのキャリアを介して伝送され、詳細は、以下のうちの少なくとも１つに関連する情報を含む。
【００３３】
１．進行中のユニキャストまたはグループキャストセッションのためにグループメンバーＵＥ４０２によって使用される、ライン４１０からの割り当てられた１つまたは複数のリソースプールおよび／またはキャリア内のリソース領域。
【００３４】
２．ＳＬＳＳおよび／またはＰＳＢＣＨを伝送するためのグループメンバーＵＥ４０２への同期リソース設定の詳細。
【００３５】
３．各グループメンバーＵＥ４０２の最新のＶ２Ｘトラフィック情報（例えば、ＵＥ補助情報、バッファーステータスレポート）を提供するためのＳＬリソース。
【００３６】
ローカルヘッダからの要求に基づいて、グループメンバーＵＥ４０２は、ライン４１３において、ＵＥ補助情報および／またはバッファステータスレポートの形式でそれらのＶ２Ｘトラフィック情報を提供する。同時に、ブロック４１４で、割り当てられたローカルヘッダはまた、ＳＬリソースセットアップ設定の詳細を近接する周囲のＵＥに定期的にブロードキャストし、ＳＬリソースの使用状況および予約状況を周囲のＵＥに通知する。
【００３７】
図５を参照する。路側ユニット（ＲＳＵ）またはグループメンバーＵＥへの、サイドリンク（ＳＬ）リソース制御および管理移転を示す例示的なフローチャート５００が提供される。ブロック５０１でＳＬユニキャストまたはグループキャストセッションに参加しているＲＲＣ接続モード１  ＵＥがセルラーＵｕインターフェースの無線状態を監視することである場合、ＵＥは、ブロック５０２で受信されたダウンリンク内のＳＳＢおよび／またはＣＳＩ−ＲＳに基づいて、同期信号基準信号受信電力（ＳＳ−ＲＳＲＰ）レベルを測定し、ブロック５０３で、それらのサービングＢＳ  ｇＮＢに測定結果を定期的に報告する。測定されたＳＳ−ＲＳＲＰの結果が、モード１動作のために事前定義または設定されたしきい値を超える場合、ＵＥは、ブロック５０２でＤＬ無線状態を監視し続ける。ブロック５０４で、測定されたＳＳ−ＲＳＲＰレベルおよび／または報告されたＳＳ−ＲＳＲＰレベルの５０％が、モード１動作のために事前定義または設定されたしきい値を下回る場合、ＢＳがＵＥをトリガーしまたはＵＥがセルフトリガーし、ブロック５０５で１つまたは複数のＲＳＵおよび／またはグループメンバーＵＥから測定されたサイドリンクの無線状態（例えば、ＳＬ  ＲＳＲＰまたはＲＳＳＩレベル）を報告することができる。トリガーされると、ＵＥは、ブロック５０６で、最初に、例えばＶ２Ｉリソースプールを介して伝送されたＳＬＳＳおよび／またはＰＳＢＣＨを検出することによって、近接している任意の近くのＲＳＵを決定する。少なくとも１つのＲＳＵが近くで検出された場合、ＵＥはブロック５０７で検出されたすべてのＲＳＵから受信したＳＬＳＳ、ＰＳＢＣＨ、および／またはＰＳＳＣＨに基づいてＳＬ  ＲＳＲＰおよび／またはＲＳＳＩレベルを測定し、ブロック５０８でこれらの測定結果をＢＳに報告する。同時に、複数の潜在的な候補が存在する場合、ＵＥは１つのＲＳＵをＢＳに指定して候補ローカルヘッダにすることができる。続いて、ブロック５０９で、ＢＳは、報告されたＲＳＵ測定値の中からローカルヘッダを選択し、ＢＳから選択されたローカルヘッダへのＳＬリソース制御および管理移転の設定の詳細をＵＥに送信する。近くのＲＳＵが検出されない場合、ブロック５１０で各ＵＥは他のグループメンバーＵＥから受信したＳＬＳＳ、ＰＳＢＣＨ、および／またはＰＳＳＣＨに基づいてＳＬ  ＲＳＲＰおよび／またはＲＳＳＩレベルを測定し、ブロック５１１でこれらの測定結果をＢＳに報告する。続いて、ブロック５１２で、ＢＳは、報告されたグループメンバーＵＥの測定値の中からローカルヘッダを選択し、ＢＳから選択されたローカルヘッダへのＳＬリソース制御および管理移転の設定の詳細をすべてのグループメンバーＵＥに送信する。選択されたローカルヘッダがＲＳＵであるか、ユニキャスト／グループキャストセッションのグループメンバーＵＥであるかに関係なく、選択されたローカルヘッダの割り当て後、ブロック５１３で、ローカルヘッダは、残りのグループメンバーＵＥにＳＬリソースセットアップの詳細を提供する。次に、ブロック５１４で前記残りのグループメンバーＵＥのそれぞれは、ユニキャストまたはグループキャストセッションを継続するた��に、そのＶ２Ｘトラフィック情報をローカルヘッダに送信する。
【００３８】
図６は、本開示の一実施形態による、無線通信のためのシステム７００のブロック図である。本明細書に記載の実施形態は、適切に構成される任意のハードウェアおよび／またはソフトウェアを使用してシステムに実装することができる。図６は、一実施形態において、少なくとも図示のように互いに結合された、無線周波数（ＲＦ）回路７１０、ベースバンド回路７２０、応用回路７３０、メモリ／ストレージ７４０、ディスプレイ７５０、カメラ７６０、センサ７７０、および入力／出力（Ｉ／Ｏ）インターフェース７８０を備える例示的システム７００を示す。
【００３９】
応用回路７３０は、１つまたは複数のシングルコアまたはマルチコアプロセッサなどの回路を備えてもよいがこれらに限定されない。プロセッサは、汎用プロセッサと、グラフィックプロセッサ、アプリケーションプロセッサなどの専用プロセッサとの任意の組み合わせを含くんでもよい。プロセッサは、メモリ／ストレージと結合され、メモリ／ストレージに格納された命令を実行して、システムで実行される様々なアプリケーションおよび／またはオペレーティングシステムを可能にするように構成されてもよい。
【００４０】
ベースバンド回路７２０は、１つまたは複数のシングルコアまたはマルチコアプロセッサなどの回路を備えてもよいがこれらに限定されない。プロセッサは、ベースバンドプロセッサを含くんでもよい。ベースバンド回路は、ＲＦ回路を介した１つまたは複数の無線ネットワークとの通信を可能にする様々な無線制御機能を処理することができる。無線制御機能は、信号変調、符号化、復号、無線周波数シフトなどを含くんでもよいが、これらに限定されない。いくつかの実施形態では、ベースバンド回路は、１つまたは複数の無線技術と互換性のある通信を提供し得る。例えば、いくつかの実施形態では、ベースバンド回路は、進化型ユニバーサル地上無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートすることができる。ベースバンド回路が複数の無線プロトコルの無線通信をサポートするように構成されている実施形態は、マルチモードベースバンド回路と呼ばれることがある。
【００４１】
様々な実施形態では、ベースバンド回路７２０は、ベースバンド周波数にあると厳密に見なされていない信号で動作する回路を備えてももよい。例えば、いくつかの実施形態では、ベースバンド回路は、ベースバンド周波数と無線周波数との間である中間周波数を有する信号で動作する回路を備えてもよい。
【００４２】
ＲＦ回路７１０は、非固体媒体を介した変調電磁放射を使用して無線ネットワークとの通信を可能にすることができる。様々な実施形態では、ＲＦ回路は、無線ネットワークとの通信を容易にするために、スイッチ、フィルタ、増幅器などを備えてもよい。
【００４３】
様々な実施形態では、ＲＦ回路７１０は、無線周波数にあると厳密に見なされていない信号で動作する回路を備えてもよい。例えば、いくつかの実施形態では、ＲＦ回路は、ベースバンド周波数と無線周波数との間である中間周波数を有する信号で動作する回路を備えてもよい。
【００４４】
様々な実施形態において、ユーザ装置、ｅＮＢ、またはｇＮＢに関して以上で論じられた送信回路、制御回路、または受信回路は、ＲＦ回路、ベースバンド回路、および／または応用回路の１つまたは複数に全体的または部分的に具現化されてもよい。。本明細書で使用されるように、「回路」は、１つまたは複数のソフトウェアまたはファームウェアプログラム実行する、特定用途向け集積回路（ＡＳＩＣ）、電子回路、プロセッサ（共有、専用、またはグループ）、および／またはメモリ（共有、専用、またはグループ）は、組み合わせ論理回路、および／または説明された機能を提供する他の適切なハードウェアコンポーネントを指すか、その一部であるか、またはそれらを備えてもよい。いくつかの実施形態では、電子装置回路は、１つまたは複数のソフトウェアまたはファームウェアモジュールに実装され得るか、または回路に関連する機能は１つまたは複数のソフトウェアまたはファームウェアモジュールに実装され得る。
【００４５】
いくつかの実施形態では、ベースバンド回路、応用回路、および／またはメモリ／ストレージの構成要素のいくつかまたはすべては、システムオンチップ（ＳＯＣ）に一緒に実装されてもよい。
【００４６】
メモリ／ストレージ７４０は、例えば、システムのために、データおよび／または命令をロードおよび格納するために使用されてもよい。一実施形態のメモリ／ストレージは、ダイナミックランダムアクセスメモリ（ＤＲＡＭ）などの適切な揮発性メモリ、および／またはフラッシュメモリなどの不揮発性メモリの任意の組み合わせを含くんでもよい。
【００４７】
様々な実施形態では、Ｉ／Ｏインターフェース７８０は、ユーザがシステムとの相互作用を可能にするように設計された１つまたは複数のユーザインターフェース、および／または周辺コンポーネントがシステムとの相互作用を可能にするように設計された周辺コンポーネントインターフェースを備えてもよい。ユーザインターフェースには、物理的なキーボードまたはキーパッド、タッチパッド、スピーカー、マイクなどが含まれるが、これらに限定されない。周辺コンポーネントのインターフェースには、不揮発性メモリポート、ユニバーサルシリアルバス（ＵＳＢ）ポート、オーディオジャック、および電源インターフエースが含まれるが、これらに限定されない。
【００４８】
様々な実施形態では、センサ７７０は、システムに関連する環境条件および／または位置情報を決定するための１つまたは複数のセンシング装置を備えてもよい。いくつかの実施形態では、センサは、ジャイロセンサ、加速度計、近接センサ、周囲光センサ、および測位ユニットを含くんでもよいが、これらに限定されない。測位ユニットはまた、ベースバンド回路および／またはＲＦ回路の一部であるか、またはそれらと相互作用して、測位ネットワーク、例えば、全地球測位システム（ＧＳＰ）衛星のコンポネントと通信することができる。
【００４９】
様々な実施形態において、ディスプレイ７５０は、液晶ディスプレイおよびタッチスクリーンディスプレイなどのディスプレイを含くんでもよい。様々な実施形態では、システム７００は、ラップトップコンピューティングデバイス、タブレットコンピューティングデバイス、ネットブック、ウルトラブック、スマートフォンなどのモバイルコンピューティングデバイスであってもよいがこれらに限定されない。様々な実施形態では、システムは、よ多いかより少ないコンポーネント、および／または異なるアーキテクチャを有してもよい。必要に応じて、本明細書に記載の方法は、コンピュータプログラムとして実施することができる。コンピュータプログラムは、非一時的記憶媒体などの記憶媒体に記憶され得る。
【００５０】
本開示の実施形態では、ユーザ装置（ＵＥ）、基地局（ＢＳ）、および同じもののビークルツーエブリシング（Ｖ２Ｘ）通信の方法は、ネットワークスケジューリングモードで動作しているユニキャストおよびグループキャストセッション中に、サービングＢＳへの無線接続が劣化または失われている場合でも、サイドリンク（ＳＬ）リソースの統一制御および管理を維持することによって、現在の突然の動作モード切り替え問題を解決することを目的とする。統一アプローチを維持するために、本開示の実施形態では、集中型ノード（ＢＳである）からローカルノード（ローカルヘッダとして示される）へのＳＬリソース制御および管理機能の補助移転を採用することが提案される。そうすることで、進行中のサービスの継続を保証し、ＵＥはグループとして動作し続け（車両の隊列走行など）、サービス品質（ＱｏＳ）が維持され、場合によってはＵＥがネットワークとの無線リソース制御（ＲＲＣ）接続を失う必要がなくなる。本開示の実施形態は、最終製品を作成するために３ＧＰＰ仕様で採用される技術／プロセスの組み合わせである。
【００５１】
当業者は、本開示の実施形態で説明および開示されるユニット、アルゴリズム、およびステップのそれぞれが、電子ハードウェアまたはコンピュータ用のソフトウェアと電子ハードウェアの組み合わせを使用して実現されることを理解する。機能がハードウェアで実行されるかソフトウェアで実行されるかは、応用の条件と技術計画の設計要件によって異なる。
【００５２】
当業者は、異なる方法を使用して、特定の用途ごとに機能を実現することができるが、そのような実現は、本開示の範囲を超えてはならない。当業者は、上記のシステム、装置、およびユニットの作業プロセスが基本的に同じであり、上記の実施形態におけるシステム、装置、およびユニットの作業プロセスを参照できることが理解される。説明を簡単にし、簡素化するために、これらの作業プロセスについては詳しく説明しない。
【００５３】
本開示の実施形態における開示されたシステム、装置、および方法は、他の方法で実現できることが理解される。上記の実施形態は単なる例示である。ユニットの分割は単に論理機能に基づいているが、実現において他の分割もある。複数のユニットまたはコンポーネントが組み合わされたり、別のシステムに統合されたりする可能性がある。一部の特徴が省略またはスキップされる可能性もある。他方、表示または議論された相互結合、直接結合、または通信結合は、電気的、機械的、または他の種類の形態によって間接的または通信的に、いくつかのポート、デバイス、またはユニットを介して動作する。
【００５４】
説明のための分離コンポーネントとしてのユニットは、物理的に分離されているか、または分離されていない。表示用のユニットは、物理的なユニットである場合とそうでない場合がある。つまり、１つの場所に配置されているか、複数のネットワークユニットに分散されている。ユニットのいくつかまたはすべては、実施形態の目的に従って使用される。さらに、各実施形態の各機能ユニットは、１つの処理ユニットに集積されるか、物理的に独立するか、または２つまたは３つ以上のユニットを備えた１つの処理ユニットに集積されることができる。
【００５５】
ソフトウェア機能ユニットが実現され、製品として使用および販売されれば、コンピュータの読み取り可能な記憶媒体に格納することができる。この理解に基づいて、本開示によって提案される技術計画は、本質的または部分的にソフトウェア製品の形態として実現することができる。または、従来の技術に有益な技術計画の一部をソフトウェア製品の形で実現することもできる。コンピュータ内のソフトウェア製品は、計算デバイス（パーソナルコンピュータ、サーバー、またはネットワーク装置など）が、本開示の実施形態によって開示されるステップのすべてまたは一部を実行するための複数の命令を含む記憶媒体に格納される。記憶媒体には、ＵＳＢディスク、モバイルハードディスク、読み取り専用メモリ（ＲＯＭ）、ランダムアクセスメモリ（ＲＡＭ）、フロッピーディスク、またはプログラムコードを格納できるその他の種類の媒体が含まれる。
【００５６】
本開示は、最も実用的で好ましい実施形態と考えられるものに関連して説明されてきたが、本開示は、開示された実施形態に限定されず、添付のクレームの最も広い解釈の範囲から逸脱することなく行われた様々な配置をカバーすることを意図することが理解される。
【手続補正２】
【補正対象書類名】特許請求の範囲
【補正対象項目名】全文
【補正方法】変更
【補正の内容】
【特許請求の範囲】
【請求項１】
ビークルツーエブリシング（Ｖ２Ｘ）通信システムにおけるユーザ装置（ＵＥ）であって、前記ＵＥは、
メモリと、
トランシーバと、
前記メモリおよび前記トランシーバに結合されるプロセッサとを備え、
前記プロセッサは、
ＵＥのグループ内の少なくとももう１つのＵＥとユニキャストセッションまたはグループキャストセッションに参加し、前記ＵＥは前記ＵＥのグループのメンバーであり、
基地局（ＢＳ）から少なくとも１つのセルラーダウンリンク（ＤＬ）信号およびチャネルを受信するように前記トランシーバを制御し、
前記少なくとも１つのセルラーＤＬ信号およびチャネルに基づき、少なくとも１つの第１の受信信号強度および／または電力を測定することによって、少なくとも１つのＤＬ無線状態を監視し、
前記少なくとも１つのＤＬ無線状態の少なくとも１つの測定結果を前記ＢＳに報告するように前記トランシーバを制御し、
前記ＢＳから補助移転設定の詳細を受信するように前記トランシーバを制御するように構成され、前記補助移転設定の詳細は、前記ＢＳが前記少なくとも１つのＤＬ無線状態の前記少なくとも１つの測定結果に基づき、進行中のユニキャストセッションまたは進行中のグループキャストセッションにローカルヘッダを割り当てることを含む。
【請求項２】
請求項１に記載のＵＥであって、前記トランシーバは、前記ローカルヘッダからサイドリンク（ＳＬ）リソースセットアップ設定の詳細を受信し、前記ローカルヘッダからの要求に基づき、ＵＥ補助情報（ＵＥＡＩ）および／またはバッファーステータスレポート（ＢＳＲ）の形式でＶ２Ｘトラフィック情報を提供するように構成され、前記ローカルヘッダは、前記少なくとも１つの近くのＲＳＵのうちの１つである、または前記ローカルヘッダは、前記ＵＥのグループのグループメンバーＵＥである。
【請求項３】
請求項２に記載のＵＥであって、前記トランシーバは、前記ローカルヘッダが前記ＳＬリソースセットアップ設定の詳細を定期的にブロードキャストすることによって、ＳＬリソースの使用および予約状況を受信するように構成される。
【請求項４】
請求項１から５のいずれか一項に記載のＵＥであって、前記トランシーバは、少なくとも１つの近くの路側ユニット（ＲＳＵ）および／または前記ＵＥのグループの１つのグループメンバーＵＥから少なくとも１つのＳＬ信号およびチャネルを受信するように構成され、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項５】
請求項４に記載のＵＥであって、前記プロセッサは、前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、少なくとも１つのＳＬ無線状態を監視するように構成される。
【請求項６】
請求項５に記載のＵＥであって、前記トランシーバは、前記少なくとも１つのＤＬ無線状態の少なくとも１つの測定結果を前記ＢＳに報告するように構成される。
【請求項７】
請求項１から６のいずれか一項に記載のＵＥであって、前記補助移転設定の詳細は、前記ローカルヘッダが前記進行中のユニキャストセッションまたは前記進行中のグループキャストセッションのＳＬリソースを制御および管理する機能を引き継ぐ開始タイミング、少なくとも１つのＳＬキャリア、前記少なくとも１つのＳＬキャリア内の少なくとも１つのＳＬリソースプール、および／または前記進行中のユニキャストセッションまたは前記進行中のグループキャストセッションを識別するための情報を含む。
【請求項８】
請求項１から７のいずれか一項に記載のＵＥであって、前記プロセッサは、ダウンリンクにおける少なくとも１つの同期信号ブロックＳＳＢおよび／またはチャネル状態情報基準信号ＣＳＩ−ＲＳに基づき、少なくとも１つの同期信号基準信号受信電力（ＳＳ−ＲＳＲＰ）レベルを測定するように構成され、前記少なくとも１つのＳＳ−ＲＳＲＰレベルが前記モード１動作に対して事前定義または設定されたしきい値を超えている場合、前記プロセッサは、前記少なくとも１つのＤＬ無線状態を監視し続け、前記少なくとも１つのＳＳ−ＲＳＲＰレベルおよび／または報告されたＳＳ−ＲＳＲＰレベルの５０％がモード１動作の事前定義または設定されたしきい値を下回っている場合、前記ＢＳは、前記プロセッサをトリガーしまたは前記プロセッサがセルフトリガーし、少なくとも１つの近くのＲＳＵおよび／または前記ＵＥのグループのグループメンバーＵＥから測定された少なくとも１つのＳＬ  ＲＳＲＰまたは受信信号強度インジケータ（ＲＳＳＩ）レベルを報告する。
【請求項９】
請求項８に記載のＵＥであって、少なくとも１つのＲＳＵが近くで検出された場合、前記プロセッサは、検出されたすべてのＲＳＵから受信したＳＬＳＳ、ＰＳＢＣＨおよび／またはＰＳＳＣＨに基づき、前記少なくとも１つのＳＬ  ＲＳＲＰおよび／またはＲＳＳＩレベルを測定し、少なくとも１つの対応する測定結果を前記ＢＳに報告し、および／または前記プロセッサは、１つ以上の潜在的な候補が存在する場合、前記ＢＳに１つのＲＳＵを候補ローカルヘッダとして指定する。
【請求項１０】
請求項８に記載のＵＥであって、前記トランシーバは、前記ＢＳから選択されたローカルヘッダへのＳＬリソース制御および管理移転の設定の詳細を受信するように構成される。
【請求項１１】
ユーザ装置（ＵＥ）のビークルツーエブリシング（Ｖ２Ｘ）通信の方法であって、前記方法は、
グループのメンバーであるＵＥのグループ内の少なくとももう１つのＵＥとユニキャストセッションまたはグループキャストセッションに参加することと、
基地局（ＢＳ）から少なくとも１つのセルラーダウンリンク（ＤＬ）信号およびチャネルを受信することと、
前記少なくとも１つのセルラーＤＬ信号およびチャネルに基づき、少なくとも１つの第１の受信信号強度および／または電力を測定することによって、少なくとも１つのＤＬ無線状態を監視することと、
前記少なくとも１つのＤＬ無線状態の少なくとも１つの測定結果を前記ＢＳに報告することと、
前記ＢＳから補助移転設定の詳細を受信することとを含み、前記補助移転設定の詳細は、前記ＢＳが前記少なくとも１つのＤＬ無線状態の前記少なくとも１つの測定結果に基づき、進行中のユニキャストセッションまたは進行中のグループキャストセッションにローカルヘッダを割り当てることを含む。
【請求項１２】
請求項１１に記載の方法であって、前記ローカルヘッダからサイドリンク（ＳＬ）リソースセットアップ設定の詳細を受信することと、前記ローカルヘッダからの要求に基づき、ＵＥ補助情報（ＵＥＡＩ）および／またはバッファーステータスレポート（ＢＳＲ）の形式でＶ２Ｘトラフィック情報を提供することとをさらに含み、前記ローカルヘッダは、前記少なくとも１つの近くのＲＳＵのうちの１つである、または前記ローカルヘッダは、前記ＵＥのグループのグループメンバーＵＥである。
【請求項１３】
請求項１２に記載の方法であって、前記ローカルヘッダが前記ＳＬリソースセットアップ設定の詳細を定期的にブロードキャストすることによって、ＳＬリソースの使用および予約状況を受信することをさらに含む。
【請求項１４】
請求項１１から１３のいずれか一項に記載の方法であって、少なくとも１つの近くの路側ユニット（ＲＳＵ）および／または前記ＵＥのグループの１つのグループメンバーＵＥから少なくとも１つのＳＬ信号およびチャネルを受信することをさらに含み、前記少なくとも１つのＳＬ信号およびチャネルは、サイドリンク同期信号（ＳＬＳＳ）、物理サイドリンクブロードキャストチャネル（ＰＳＢＣＨ）のための復調基準信号（ＤＭＲＳ）、物理サイドリンク制御チャネル（ＰＳＣＣＨ）、物理サイドリンク共有チャネル（ＰＳＳＣＨ）、および検出信号とチャネルを含む。
【請求項１５】
請求項１４に記載の方法であって、前記少なくとも１つの近くのＲＳＵおよび／または前記ＵＥのグループの１つのグループメンバーＵＥによって伝送される前記少なくとも１つのＳＬ信号およびチャネルに基づき、少なくとも１つの第２の受信信号強度および／または電力を測定することによって、少なくとも１つのＳＬ無線状態を監視することをさらに含む。
【手続補正３】
【補正対象書類名】図面
【補正対象項目名】全図
【補正方法】変更
【補正の内容】
【図１】
2022500941.tif 000009
【図２】
2022500941.tif 000010
【図３】
2022500941.tif 000011
【図４】
2022500941.tif 000012
【図５】
2022500941.tif 000013
【図６】
2022500941.tif 000014
【国際調査報告】
2022500941.tif 000015
2022500941.tif 000016